(57)【要約】  本発明は、発光面に配置された発光ダイオード（ＬＥＤ）を備えたフィルム及びビデオ撮影用のスポットライトに関連する。本発明においては、少なくとも三つのＬＥＤ（４；５；６１−６４）が備わっており、異なるＬＥＤカラー（Ｒ、Ｇ、Ａ、Ｂ、Ｙｅ）が発色ＬＥＤ（６１−６４）から発せられており、光束部が混合色のために提供されており、少なくとも一つのＬＥＤが蛍光ＬＥＤ（４）である。本発明は、少なくともグループでＬＥＤを制御する装置（２）にも関係しており、前記装置はＬＥＤ（４；５；６１−６４）によって発せられる光束部の設定に役立つ。さらに、本発明は上述のタイプのスポットライトによって発せられる色の性質を調節するための方法に関連する。
2008541361.tif 000002
【特許請求の範囲】
【請求項１】
発光面に設置された発光ダイオード（ＬＥＤ）を用いたフィルム及びビデオ撮影用のスポットライトであって、
発色ＬＥＤである少なくとも三つのＬＥＤと、蛍光ＬＥＤを有する少なくとも一つのＬＥＤと、ＬＥＤから発せられる光束部を設定するための装置とを有し、
前記少なくとも三つのＬＥＤが異なるＬＥＤカラーを発すると共に、混合色のための光束部を提供し、
前記装置が少なくともグループで前記ＬＥＤを駆動するスポットライト。
【請求項２】
蛍光ＬＥＤが黄緑、昼白、中性白、又は温白の蛍光ＬＥＤを有する請求項１のスポットライト。
【請求項３】
黄緑、昼白、中性白、又は温白の蛍光ＬＥＤの蛍光材料層が発色ＬＥＤの少なくとも一部を覆う請求項２のスポットライト。
【請求項４】
少なくとも一つの発色ＬＥＤが青又はシアンのＬＥＤカラーを発する請求項２又は請求項３のスポットライト。
【請求項５】
蛍光材料層が、青又はシアンのＬＥＤカラーを発する発色ＬＥＤ以外の発色ＬＥＤの少なくとも一部を覆う請求項３及び請求項４のスポットライト。
【請求項６】
個々の発色ＬＥＤがチップオンボード技術を供えた基盤に配置されている請求項１から請求項５のいずれかのスポットライト。
【請求項７】
個々の発色ＬＥＤがチップオンボード技術を備えたマイクロリフレクタに埋め込まれている請求項１から請求項６のいずれかのスポットライト。
【請求項８】
ＬＥＤが連結されることでＬＥＤモジュールを形成し、スポットライトの発光面がＬＥＤモジュール又はＬＥＤモジュールのアレイを供えたＬＥＤボードを有する請求項１から請求項７のいずれかのスポットライト。
【請求項９】
複数のＬＥＤボードを有する請求項１から請求項８のいずれかのスポットライト。
【請求項１０】
ＬＥＤモジュールが所定の数の発色ＬＥＤ及び蛍光ＬＥＤを有しており、少なくとも一つずつの発色ＬＥＤがそれぞれのＬＥＤカラー（Ｒ、Ｇ、Ａ、Ｂ、Ｙｅ）に供されている請求項１から請求項９のいずれかのスポットライト。
【請求項１１】
蛍光ＬＥＤの蛍光材料層が赤、緑、オレンジ、黄−オレンジ、又は黄の波長範囲の発色ＬＥＤのチップを覆い、前記チップは蛍光ＬＥＤのチップに隣接しており、青又はシアン色の波長範囲の一つまたは複数の発色ＬＥＤが蛍光材料層周囲又は沿った側に配置されている請求項１から請求項１０のいずれかのスポットライト。
【請求項１２】
ＬＥＤモジュールが少なくとも５つの異なるＬＥＤを各ケースの中に有し、
一つのＬＥＤが黄緑、又は白の蛍光ＬＥＤであり、
一つのＬＥＤが単色のシアン又は青の発色ＬＥＤであり、
一つのＬＥＤが単色の緑の発色ＬＥＤであり、
二つのＬＥＤが異なる単色の蛍光ＬＥＤであり、赤、オレンジ、黄−オレンジ、黄のＬＥＤカラー（Ｒ、Ａ、Ｙｅ）を発する請求項１から請求項１１のいずれかのスポットライト。
【請求項１３】
ＬＥＤモジュールが
黄緑又は白の蛍光ＬＥＤと、
４３０ｎｍ−４８０ｎｍのピーク波長を有する単色の青の発色ＬＥＤと、
５０５ｎｍ−５３５ｎｍのピーク波長を有する単色の緑の発色ＬＥＤと、
６１０ｎｍ−６４０ｎｍのピーク波長を有する単色のアンバー色の発色ＬＥＤと、
６３０ｎｍ−６６０ｎｍのピーク波長を有する単色の赤の発色ＬＥＤと
を有する請求項１から請求項１２のいずれかのスポットライト。
【請求項１４】
ＬＥＤモジュールが
黄緑又は白の蛍光ＬＥＤと、
４８０ｎｍ−５１５ｎｍのピーク波長を有する単色のシアンの発色ＬＥＤと、
５０５ｎｍ−５３５ｎｍのピーク波長を有する単色の緑の発色ＬＥＤと、
５８０ｎｍ−６１０ｎｍのピーク波長を有する単色の黄の発色ＬＥＤと、
６１０ｎｍ−６４０ｎｍのピーク波長を有する単色のアンバーの発色ＬＥＤと
を有する請求項１から請求項１２のいずれかのスポットライト。
【請求項１５】
ＬＥＤモジュールが
黄緑又は白の蛍光ＬＥＤと、
４８０ｎｍ−５１５ｎｍのピーク波長を有する単色のシアンの発色ＬＥＤと、
５０５ｎｍ−５３５ｎｍのピーク波長を有する単色の緑の発色ＬＥＤと、
５８０ｎｍ−６１０ｎｍのピーク波長を有する単色の黄の発色ＬＥＤと、
６１０ｎｍ−６４０ｎｍのピーク波長を有する単色のアンバーの発色ＬＥＤと、
４３０ｎｍ−４８０ｎｍのピーク波長を有する単色の青の発色ＬＥＤと
を有する請求項１から請求項１２のいずれかのスポットライト。
【請求項１６】
ＬＥＤモジュールが
黄緑又は白の蛍光ＬＥＤと、
４８０ｎｍ−５１５ｎｍのピーク波長を有する単色のシアンの発色ＬＥＤと、
５０５ｎｍ−５３５ｎｍのピーク波長を有する単色の緑の発色ＬＥＤと、
５８０ｎｍ−６１０ｎｍのピーク波長を有する単色の黄の発色ＬＥＤと、
６３０ｎｍ−６６０ｎｍのピーク波長を有する単色の赤の発色ＬＥＤと
を有する請求項１から請求項１２のいずれかのスポットライト。
【請求項１７】
ＬＥＤモジュールが
黄緑又は白の蛍光ＬＥＤと、
４８０ｎｍ−５１５ｎｍのピーク波長を有する単色のシアンの発色ＬＥＤと、
５０５ｎｍ−５３５ｎｍのピーク波長を有する単色の緑の発色ＬＥＤと、
５８０ｎｍ−６１０ｎｍのピーク波長を有する単色の黄の発色ＬＥＤと、
６３０ｎｍ−６６０ｎｍのピーク波長を有する単色の赤の発色ＬＥＤと、
４３０ｎｍ−４８０ｎｍのピーク波長を有する単色の青の発色ＬＥＤと
を有する請求項１から請求項１２のいずれかのスポットライト。
【請求項１８】
ＬＥＤモジュールが
黄緑又は白の蛍光ＬＥＤと、
４８０ｎｍ−５１５ｎｍのピーク波長を有する単色のシアンの発色ＬＥＤと、
５０５ｎｍ−５３５ｎｍのピーク波長を有する単色の緑の発色ＬＥＤと、
６１０ｎｍ−６４０ｎｍのピーク波長を有する単色のアンバーの発色ＬＥＤと、
６３０ｎｍ−６６０ｎｍのピーク波長を有する単色の赤の発色ＬＥＤと、
を有する請求項１から請求項１２のいずれかのスポットライト。
【請求項１９】
ＬＥＤモジュールが
黄緑又は白の蛍光ＬＥＤと、
４８０ｎｍ−５１５ｎｍのピーク波長を有する単色のシアンの発色ＬＥＤと、
５０５ｎｍ−５３５ｎｍのピーク波長を有する単色の緑の発色ＬＥＤと、
６１０ｎｍ−６４０ｎｍのピーク波長を有する単色のアンバーの発色ＬＥＤと、
６３０ｎｍ−６６０ｎｍのピーク波長を有する単色の赤の発色ＬＥＤと、
４３０ｎｍ−４８０ｎｍのピーク波長を有する単色の青の発色ＬＥＤと
を有する請求項１から請求項１２のいずれかのスポットライト。
【請求項２０】
ＬＥＤモジュールが
黄緑又は白の蛍光ＬＥＤと、
４３０ｎｍ−４８０ｎｍのピーク波長を有する単色の青の発色ＬＥＤと、
５０５ｎｍ−５３５ｎｍのピーク波長を有する単色の緑の発色ＬＥＤと、
５８０ｎｍ−６１０ｎｍのピーク波長を有する単色の黄の発色ＬＥＤと、
６３０ｎｍ−６６０ｎｍのピーク波長を有する単色の赤の発色ＬＥＤと、
を有する請求項１から請求項１２のいずれかのスポットライト。
【請求項２１】
ＬＥＤモジュールが
黄緑又は白の蛍光ＬＥＤと、
４３０ｎｍ−４８０ｎｍのピーク波長を有する単色の青の発色ＬＥＤと、
６３０ｎｍ−６６０ｎｍのピーク波長を有する単色の赤の発色ＬＥＤと
を有する請求項１から請求項１１のいずれかのスポットライト。
【請求項２２】
少なくとも一つの測定装置がＬＥＤボードとスポットライトの前面との間に配置されている請求項１から請求項２０のいずれかのスポットライト。
【請求項２３】
測定装置がＬＥＤの発光強度を検出し、前記測定装置が比色計、ＲＧＢセンサ、Ｖ（λ）センサ、又は光センサである請求項２２のスポットライト。
【請求項２４】
測定装置が異なるスペクトル検出性を有する少なくとも５つのセンサから形成されている請求項２３のスポットライト。
【請求項２５】
測定装置が連続的、又は所定時間の間隔をおいてＬＥＤの発光強度を検出する請求項２３または請求項２４のスポットライト。
【請求項２６】
測定装置が一定の温度に制御されている請求項２２から請求項２５のいずれかのスポットライト。
【請求項２７】
各ＬＥＤカラー（Ｒ、Ｇ、Ａ、Ｂ、Ｙｅ）を発する部分が測定装置の光検出面に連結されている請求項２２から請求項２６のいずれかのスポットライト。
【請求項２８】
ＬＥＤモジュールのアレイの前に装着された拡散スクリーンが光を集め、周辺反射被覆の開口を介して光の一部を測定装置に繋げる請求項２２から請求項２７のいずれかのスポットライト。
【請求項２９】
ＬＥＤモジュールの温度を発する場所に配置された少なくとも一つのモニタＬＥＤモジュールが測定用受信機を照らすために用いられ、モニタＬＥＤモジュールによって発せられる発光の一部が測定装置に導かれる請求項２２から請求項２８のいずれかのスポットライト。
【請求項３０】
モニタＬＥＤモジュールによって発せられる光が拡散ラミナを照らし、拡散ラミナによって反射される又は測定装置へと誘導される請求項２９のスポットライト。
【請求項３１】
光が拡散ラミナによって光導波管を介して測定装置へと誘導される請求項３０のスポットライト。
【請求項３２】
拡散ラミナがスポットライトの発光面上に配置された透過性スクリーンの下側に配置されている請求項３０又は請求項３１のスポットライト。
【請求項３３】
拡散ラミナがカプセル内に配置されており、前記カプセルがスポットライトの発光面の一面に配置されており、モニタＬＥＤモジュールと測定用受信機とを囲んでいる請求項３０又は請求項３１のスポットライト。
【請求項３４】
カプセルが光を漏らさないようになっている請求項３３のスポットライト。
【請求項３５】
モニタＬＥＤモジュール、測定装置及びカプセルがスポットライトの発光面の下側に配置されている請求項３３又は請求項３４のスポットライト。
【請求項３６】
拡散ラミナが測定用受信機から離れた側に反射性被覆を有する請求項３０から請求項３５のいずれかのスポットライト。
【請求項３７】
測定装置がモニタＬＥＤモジュールから離れたカプセルの端に配置されており、前記カプセルがスポットライトの発光面の上側又は下側にあるモニタＬＥＤモジュール上に配置されている請求項２９のスポットライト。
【請求項３８】
ＬＥＤが側部発光ＬＥＤである請求項１から請求項３７のいずれかのスポットライト。
【請求項３９】
一定の光分散がＬＥＤによって照らされる表面上で起こるように形成された光分散をＬＥＤが備えた請求項３８のスポットライト。
【請求項４０】
光誘導プレートがスポットライトの発光面に配置されており、側部発光ＬＥＤによって発せられる光が光誘導プレートによって混合される請求項３８又は請求項３９のいずれかのスポットライト。
【請求項４１】
光誘導プレートが周辺反射被覆を備えている請求項４０のスポットライト。
【請求項４２】
開口が周辺反射被覆に形成されており、測定装置が前記開口に配置されている請求項２２から請求項４１のいずれかのスポットライト。
【請求項４３】
子斧ＬＥＤカラーの発光強度の測定が最初は手動で行われる請求項２２から請求項４２のいずれかのスポットライト。
【請求項４４】
光及び／又は音の信号装置が、予め決められた所望される値から現在の設定の逸脱を示す請求項２２から請求項４３のいずれかのスポットライト。
【請求項４５】
使用者のインターフェースが、スポットライトによる設定のための所望される色温度及び／又は所望される色軌跡を予め決定するために用いられる請求項２２から請求項４４のいずれかのスポットライト。
【請求項４６】
使用者のインターフェースが、スポットライトによるシミュレーションのために、取付けられた色補正フィルタを模倣する色補正、及び／又は色フィルタを模倣する光の色を設定するために用いられる請求項２２から請求項４５のいずれかのスポットライト。
【請求項４７】
ルポットライトが消光モードでスポットライトの明度に依存して色温度を適応させるよう設計されている請求項１から請求項４６のいずれかのスポットライト。
【請求項４８】
スポットライトが使用者によって選択された光源及び／又は光の色をまねるよう設計されている請求項１から請求項４７のいずれかのスポットライト。
【請求項４９】
請求項１から請求項４８のいずれかのスポットライトによって発せられる色の特徴を設定するための方法であって、
スポットライトのスイッチが入れられた後に、ＬＥＤカラーの利用できる放射成分が測定される段階と、
作動中に、ＬＥＤカラーの現在のＲＧＢ又は強度が継続的又は所定の間隔をおいて測定される段階と、
ＬＥＤカラーの発光強度が、各ＬＥＤカラー用に決められた現在のＲＧＢ又は強度を考慮して再調節される段階と
を有する方法。
【請求項５０】
現在の色軌跡がＬＥＤカラーの全発光の現在のＲＧＢ又は強度から算出され、目的の色軌跡から逸脱しているときには、個々のＬＥＤカラーの現在のＲＧＢ若しくは強度が測定され、ＬＥＤカラーの発光強度が各ＬＥＤカラーのために決定された現在のＲＧＢ又は強度を考慮して再調節される請求項４９の方法。
【請求項５１】
ＬＥＤカラーの発光成分が、短時間で次々とそれぞれのＬＥＤカラーを連続的に稼動し、個々のＬＥＤカラーのＲＧＢ又は強度を測定することによって決定される請求項４９又は請求項５０のいずれかの方法。
【請求項５２】
ＬＥＤカラーの発光成分が二つ又は多くても三つのＬＥＤカラーを連続的に稼動し、ＲＧＢ又は強度を測定し、個々のＬＥＤカラーの強度を算出することによって決定される請求項４９又は請求項５０のいずれかの方法。
【請求項５３】
ＬＥＤカラーの発光成分が、個々のＬＥＤカラーを連続的に消していく全てのＬＥＤカラーの全発光を測定し、残ったＬＥＤカラーのＲＧＢ又は強度を測定し、それぞれ消したＬＥＤカラーのＲＧＢ又はＬＥＤカラーを決定するために測定された二つの値を引くことによって決定される請求項４９又は請求項５０のいずれかの方法。
【請求項５４】
ＬＥＤカラーの発光成分が異なるスペクトル検出性を有する光センサによってすべてのＬＥＤカラーの全発光を測定することで決定され、光センサの数が用いられるＬＥＤカラーの数に対応する請求項４９又は請求項５０のいずれかの方法。
【発明の詳細な説明】
【技術分野】
【０００１】
本発明は、発光面上に配置された発光ダイオードを備えたフィルム及びビデオを撮影するためのスポットライトと、スポットライトによって発せられる色調の設定方法に関連する。
【背景技術】
【０００２】
発光ダイオード（ＬＥＤ）を用いた照明用スポットライトは、例えばフィルム及びビデオカメラ用のカメラの付属ライトとして用いられることが知られている。それらの目的で使用されるＬＥＤは「昼白色」もしくは「温白色」のいずれかの色温度を有しているため、連続的な変化、正確な点灯、もしくは温白色から昼白色の色温度への切り替えは不可能であり、フィルム及びビデオを撮影するときの演色は両方のライトにおいて満足できるものではない。
【０００３】
「シネマ用カラーネガフィルム」などのフィルムを撮影するための一般的なフィルム素材は、５６００Ｋの色温度である日光又は３２００Ｋの色温度である白熱電球光に対して最適化されると共に、セットを照らすためにこれらの光源を用いた場合に優れた演色性を達成できる。フィルムを撮影するときに、他の人工光源がセットを照らすために用いられる場合、一方ではこれらは３２００Ｋ又は５６００Ｋの最適な色温度に適合されなければならず、他方では非常に優れた演色性を有する。通常、ＣＲＩ≧９０．．．１００の演色指数である最高の演色レベルがそれらには求められる。
【０００４】
フィルム又はビデオを撮影する時の照明に蛍光ランプが用いられる時のように、非連続的なスペクトル波形を有する人工光源の場合は、前記光源は色温度及び演色に求められる値をもたらすものの、それでもやはりフィルムの撮影に用いられる時に白熱電灯、ＨＭＩランプもしくは日光に比べてかなりの色かぶりが生じうる。この場合、この現象は不適切な光混合能と呼ばれる。また、この効果はＬＥＤスポットライトに異なる色のＬＥＤを用いた場合にも起こりうる。こうして、５６００Ｋの色温度及びＣＲＩ＝９６の演色指数に最適化されたＬＥＤの組み合わせの試験において、フィルムの撮影時にＨＭＩランプと比べてかなり赤みがかかった色が確認された。また、昼白色のＬＥＤを用いた試験においても光混合能に関して満足できる結果は得られなかった。
【０００５】
ＤＥ１０２３３０５０Ａ１は白色光を生じるためのＬＥＤを用いた光源を開示しており、それは三色を混合する原理を用いている。三原色である赤緑青（ＲＧＢ）が白色光を生じるために混合されており、その場合、伝送ＬＥＤと呼ばれる４７０から４９０ｎｍの波長の原色に用いられる光を直接放つ少なくとも一つの青色蛍光ＬＥＤと、変換に機能し、対応して変換ＬＥＤと呼ばれ、最大で４６５ｎｍの波長範囲の原色を放つ他のＬＥＤとがハウジング内で組み合わせられる。両ＬＥＤの前部又は多くの両種のＬＥＤから作られた表面（配置）に配置されるものは、一つ以上の蛍光材料を有するポット又はガラス板でできた共通の変換面であり、蛍光材料が変換ＬＥＤからの光は完全に変換するが、伝送ＬＥＤからの光は妨げることなく通す。
【０００６】
フィルム及びビデオ撮影用の最適な演色は、このいずれの光源によっても保証はされない。なぜならば、特に色成分の抑制を過度に強調することで、光源によって照らされた対象の色が損壊する恐れがあるためである。この理由のため、このタイプの光源はエンターテイメントの分野において主に用いられている。さらに、周知の光源の蛍光材料は最大４６５ｎｍの短波照射によって励起されているため、蛍光ＬＥＤの効率及び寿命に関して不利なことが予想される。
【０００７】
ＵＳ２００４／０１０５２６１Ａ１は、所定の光スペクトルを有する光を放ち、変更するための方法及び装置を開示している。周知の照明装置は、所定の光スペクトルを発する複数グループの発光装置と、各発光装置への電力供給を制御する制御装置とを有し、全体的な結果である発光が所定の光スペクトルを有するようにしている。この場合、昼白色及び温白色のＬＥＤを組み合わせることと強度を変更することによって、温白色及び昼白色のＬＥＤの間のあらゆる色温度を設定することが可能である。
【０００８】
これらの方法の欠点には、フィルム及びビデオを撮影時の最適ではない演色と、所定の色温度及び正確な色軌跡を設定する機会の欠如とが同様に含まれる。個々のＬＥＤ又はグループのＬＥＤの選択と各セットの色温度とに依存すると、ここでプランク軌跡から部分的にかなりの色偏差を考慮する必要がある。色偏差は前部に補正フィルタを取り付けることによってのみ補正できる。さらに、昼白色及び温白色のＬＥＤの組み合わせによる温白色設定の場合は照明効率が最適ではない。それは、この場合は蛍光材料の二次的な放出の結果として比較的大きな変換のロスが生じるからである。この方法の更なる欠点は、温白又は昼白の色温度を設定するために、それぞれ別の色温度であるＬＥＤの大部分が利用できない又は非常に薄暗い状態でしか利用できないことによって、フィルムを撮影時において一般に必要とされる３２００Ｋ又は５６００Ｋ近辺の色温度の利用率が約５０％のみになることである。
【０００９】
本発明の目的は発光面に並んだ発光ダイオードを用いたフィルム及びビデオを撮影するためのスポットライトを提供することであり、それは異なる色のＬＥＤから放たれた発光の非常に優れた演色と均一な色混合を保証する。その色調はフィルムの撮影とビデオの撮影の両方に最適化されていると共に、ハロゲン白熱灯又は日光などの他の光源を録画と比較して色かぶりを生じさせず、用いられるＬＥＤの非常に優れた利用によって色温度又は色軌跡のあらゆる所望される設定を可能にする。
【００１０】
この目的は導入部で述べられたタイプのスポットライトによって成し遂げられ、その発光面は異なるＬＥＤカラーを放つ少なくとも三つのＬＥＤを有し、色混合のための光束部を提供する。そのうちの少なくとも一つのＬＥＤは蛍光ＬＥＤを有しており、また、色ごとにＬＥＤから発せられる光束部を設定するための装置を有し、前記装置は少なくともグループでＬＥＤを稼動させる。
【特許文献１】特表２００３−５１５９５６
【発明の開示】
【００１１】
発明による解決策は、フィルム及びビデオ撮影用のＬＥＤスポットライトを提供することであり、それは、異なる色のＬＥＤの適切な組み合わせによって、非常に優れた演色が実現されていると共に、その色調はハロゲン白熱灯又は日光のような他の光源を用いた録画と比べて、色かぶりが生じることなくフィルムの撮影とビデオの撮影の両方に対して最適化されている。この場合、ＬＥＤのアセンブリ及び配置は異なる色のＬＥＤから発せられる発光の最大限に均一化された色混合を可能にする。また、異なるＬＥＤの色又はＬＥＤの色のグループを正確に点灯させることによって、色温度が変更可能になるか、約２５００Ｋから７０００Ｋの間で所望されるように設定できる。あるいは、プランク軌跡から偏差した色軌跡は用いられるＬＥＤの全域内において所望されるように設定できる。３２００Ｋ又は５６００Ｋの温白若しくは昼白の色温度が設定される場合、使用されるＬＥＤの全光束に対して８５％以上の非常に高い利用率が達成される。
【００１２】
発明による解決策は、色温度及び演色指数のために人工光源を最適化するだけでは、フィルム撮影用の質の高い照明には不十分であるという考察に基づいている。さらに、用いられるフィルム材料のスペクトル反応性に関するスペクトルの分布は、白熱灯又はＨＭＩランプと比べて望まれない色かぶりをもたらさないことを保証しなければならない。こうして、光源のスペクトル放出ピークにフィルム感度曲線の最大値が一致するのを回避し、巧みに補償することがとりわけ必要である。
【００１３】
発明による解決策は、フィルム及びビデオ撮影に特に適したＬＥＤスポットライト用に少なくとも三つの異なる色のＬＥＤを用いる考えに基づいており、そのＬＥＤのうち一つのＬＥＤは蛍光ＬＥＤとして体現されており、特に昼白、中性白若しくは温白色の白色又は黄色及び／又は緑色のいずれかを発する。また、黄色及び／又は緑色を発する蛍光ＬＥＤはこれ以降において「黄緑のＬＥＤ」と呼ばれ、「青」のＬＥＤカラーを発する少なくとも一つのＬＥＤと組み合わせられることが好ましい。
【００１４】
以下に説明される解決策は、適切な色温度と優れた演色を有すると共に、フィルム及びビデオを撮影するのに用いた場合において、同時に完全な色混合性を保証することができる適切なＬＥＤの組み合わせを示している。
【００１５】
これは白の蛍光ＬＥＤ若しくは黄緑の蛍光ＬＥＤを少なくとも三つの単色ＬＥＤと組み合わせることを引き起こし、黄緑又は温白のＬＥＤが用いられている時は、そのうちの少なくとも一つの単色ＬＥＤは「青」のＬＥＤ色を有する。
【００１６】
複数の単色ＬＥＤと白の蛍光ＬＥＤと黄緑の蛍光ＬＥＤの組み合わせは、ＬＥＤモジュールを形成するよう組み合わせられ、スポットライトの発光面はＬＥＤモジュールのアレイから組立てられることが好ましい。
【００１７】
個々のＬＥＤモジュールの色の均一性を最小化及び改善する一つの可能性は、蛍光ＬＥＤ及び発色ＬＥＤの空間的な分離を少なくとも部分的に排除することから成る。したがって、発明の別の特徴によると、蛍光ＬＥＤの蛍光材料層は蛍光ＬＥＤを覆うのみではなく、蛍光ＬＥＤのチップに隣接する緑から赤の波長範囲の発色ＬＥＤのチップをさらに覆う。この場合、蛍光ＬＥＤのチップは例えばＬＥＤモジュールの中央に並べられている。蛍光材料の層は蛍光ＬＥＤの大きさと比べてより大きな範囲を覆っている。
【００１８】
しかしながら、青色ＬＥＤにとっては黄緑又は白の蛍光ＬＥＤの蛍光材料層の下に統合されないことが好ましい。青色ＬＥＤはこの統合から除かれており、そうでなければその発光が黄緑又は白の蛍光ＬＥＤの蛍光材料を励起することで、二次的な発光を引き起こし、青色ＬＥＤの発光は黄緑又は白の蛍光ＬＥＤの発光から独自に設定されることはないからである。
【００１９】
対照的に、緑から赤の発色ＬＥＤの発光は、黄緑又は白の蛍光ＬＥＤの黄緑の蛍光材料を励起せず、スペクトルの変化を伴わずにそれを通過することはできない。
【００２０】
発明に基づく解決法の形態は、一方で発色ＬＥＤのチップが蛍光ＬＥＤのチップの非常に近くに配置されるために、非常に限定された空間にチップを収納することができる。しかしながら他方において、最小化及び個々のＬＥＤモジュールの関連するより強い発光によってなされることは、より質の高いビーム形成及び色の均一化が発光源の光学素子の下流によって達成されることである。
【００２１】
更なる利点は、発色ＬＥＤから発せられる発光の一部が蛍光ＬＥＤの蛍光材料層によって拡散され、結果的に蛍光材料層の全面が発色ＬＥＤの色で照らし出されることにより色の混合の均一性がさらに改善されることである。
【００２２】
発色ＬＥＤと蛍光ＬＥＤとが組み合わされてＬＥＤモジュールを形成する場合、例えば黄緑、青又は赤である各ＬＥＤカラーは一つ又は複数のＬＥＤチップを有することで、色の混合に最適な光束部を提供する。スポットライトの発光面用の各ＬＥＤモジュール又はＬＥＤモジュールのアレイに実際に用いられるＬＥＤチップの一色あたりの数は、用いられる単色ＬＥＤ及び蛍光ＬＥＤの出力及び発光効率に依存する。このことは新しいＬＥＤの開発によって時間の経過を経て変化するため、各色に必要なＬＥＤの数は以下に示される明るい状態が完全な光束の放出によって達成されるように選択される。一方で、一部の光束を減少させることによって、特に、必要なＬＥＤの最小値に個々の発色ＬＥＤを暗くすることによって、最適な演色を有し、ほぼ一定の同一の輝度で約２７００Ｋから６０００Ｋまでの関連する色温度の範囲を設定することができる。
【００２３】
発明による解決法の更なる実施形態では、異なる色のＬＥＤが小さなモジュール内においてチップオンボード技術によって距離的に非常に近くに配置され、最小及び単一ユニットとしての各モジュールが全ての必要なＬＥＤカラーを有しており、一色あたりに用いられているＬＥＤの数がチップの大きさと必要とされる部分的な光束とに依存するという事実によって異なるＬＥＤの均一な色の混合が達成される。したがって、例えばＬＥＤモジュールは昼白、温白、又は黄緑の蛍光ＬＥＤ及び、それぞれの場合において四つの青、緑、アンバー、及び赤の発色ＬＥＤチップを有するであろう。
【００２４】
発明の解決策のある好適な実施形態においては、ＬＥＤモジュールがそれぞれの場合において少なくとも５つの異なるＬＥＤを有し、その内一つのＬＥＤは黄緑もしくは白の蛍光ＬＥＤとして実施され、あるＬＥＤは単色のシアンもしくは青色のＬＥＤとして実施され、あるＬＥＤは単色の緑色のＬＥＤとして実施され、二つのＬＥＤは赤、オレンジ、黄−オレンジ、又は黄のＬＥＤの色である異なる単色のＬＥＤとして実施される。
【００２５】
発明の解決法の第１の変形形態においては、ＬＥＤモジュールが黄緑又は白の蛍光ＬＥＤと、４３０ｎｍ−４８０ｎｍ、好ましくは４５０ｎｍ−４８０ｎｍのピーク波長を有する単色である青の発色ＬＥＤと、５０５ｎｍ−５３５ｎｍのピーク波長を有する単色である緑の発色ＬＥＤと、６１０ｎｍ−６４０ｎｍのピーク波長を有する単色であるアンバーの発色ＬＥＤと、６３０ｎｍ−６６０ｎｍのピーク波長を有する単色である赤の発色ＬＥＤとを有する。
【００２６】
発明の解決法の第２の変形形態においては、ＬＥＤモジュールが黄緑又は白の蛍光ＬＥＤと、４３０ｎｍ−５１５ｎｍ、好ましくは４８５ｎｍ−５１５ｎｍのピーク波長を有する単色であるシアンの発色ＬＥＤと、５０５ｎｍ−５３５ｎｍのピーク波長を有する単色の緑の発色ＬＥＤと、５８０ｎｍ−６１０ｎｍのピーク波長を有する単色である黄の発色ＬＥＤと、６１０ｎｍ−６４０ｎｍのピーク波長を有する単色であるアンバーの発色ＬＥＤとを有する。
【００２７】
発明の解決法の第３の変形形態においては、ＬＥＤモジュールが黄緑もしくは白の蛍光ＬＥＤと、４８０ｎｍ−５１５ｎｍ、好ましくは４８５ｎｍ−５１５ｎｍのピーク波長を有する単色であるシアンの発色ＬＥＤと、５０５ｎｍ−５３５ｎｍのピーク波長を有する単色である緑の発色ＬＥＤと、５８０ｎｍ−６１０ｎｍのピーク波長を有する単色である黄の発色ＬＥＤと、６１０ｎｍ−６４０ｎｍのピーク波長を有する単色であるアンバー色の発色ＬＥＤと、４３０ｎｍ−４８０ｎｍ、好ましくは４５０ｎｍ−４８０ｎｍのピーク波長を有する単色である青の発色ＬＥＤとを有する。発明の解決法の第４の変形形態においては、ＬＥＤモジュールが黄緑もしくは白の蛍光ＬＥＤと、４８０ｎｍ−５１５ｎｍ、好ましくは４８５ｎｍ−５１５ｎｍのピーク波長を有する単色であるシアンの発色ＬＥＤと、５０５ｎｍ−５３５ｎｍのピーク波長を有する単色である緑の蛍光ＬＥＤと、５８０ｎｍ−６１０ｎｍのピーク波長を有する単色である黄の発色ＬＥＤと、６３０ｎｍ−６６０ｎｍのピーク波長を有する単色である赤の発色ＬＥＤとを有する。
【００２８】
発明の解決法の第５の変形形態においては、ＬＥＤモジュールが黄緑もしくは白の蛍光ＬＥＤと、４８０ｎｍ−５１５ｎｍ、好ましくは４８５ｎｍ−５１５ｎｍのピーク波長を有する単色であるシアンの発色ＬＥＤと、５０５ｎｍ−５３５ｎｍのピーク波長を有する単色である緑の発色ＬＥＤと、５８０ｎｍ−６１０ｎｍのピーク波長を有する単色である黄の発色ＬＥＤと、６３０ｎｍ−６６０ｎｍのピーク波長を有する単色である赤の発色ＬＥＤと、４３０ｎｍ−４８０ｎｍ、好ましくは４５０ｎｍ−４８０ｎｍのピーク波長を有する単色である青の発色ＬＥＤとを有する。
【００２９】
発明の解決法の第６の変形形態においては、ＬＥＤモジュールが黄緑もしくは白の蛍光ＬＥＤと、４８０ｎｍ−５１５ｎｍ、好ましくは４８５ｎｍ−５１５ｎｍのピーク波長を有する単色であるシアンの発色ＬＥＤと、５０５ｎｍ−５３５ｎｍのピーク波長を有する単色である緑の発色ＬＥＤと、６１０ｎｍ−６４０ｎｍのピーク波長を有する単色であるアンバーの発色ＬＥＤと、６３０ｎｍ−６６０ｎｍのピーク波長を有する単色である赤の発色ＬＥＤとを有する。
【００３０】
発明の解決法の第７の変形形態においては、ＬＥＤモジュールが黄緑もしくは白の蛍光ＬＥＤと、４８０ｎｍ−５１５ｎｍ、好ましくは４８５ｎｍ−５１５ｎｍのピーク波長を有する単色であるシアンの発色ＬＥＤと、５０５ｎｍ−５３５ｎｍのピーク波長を有する単色である緑の発色ＬＥＤと、６１０ｎｍ−６４０ｎｍのピーク波長を有する単色であるアンバー色の発色ＬＥＤと、６３０ｎｍ−６６０ｎｍのピーク波長を有する単色である赤の発色ＬＥＤと、４３０ｎｍ−４８０ｎｍ、好ましくは４５０ｎｍ−４８０ｎｍのピーク波長を有する単色である青の発色ＬＥＤとを有する。
【００３１】
発明の解決法の第８の変形形態においては、ＬＥＤモジュールが黄緑もしくは白の蛍光ＬＥＤと、４３０ｎｍ−４８０ｎｍ、好ましくは４５０ｎｍ−４８０ｎｍのピーク波長を有する単色である青の発色ＬＥＤと、５０５ｎｍ−５３５ｎｍのピーク波長を有する単色である緑の発色ＬＥＤと、５８０ｎｍ−６１０ｎｍのピーク波長を有する単色である黄の発色ＬＥＤと、６３０ｎｍ−６６０ｎｍのピーク波長を有する単色である赤の発色ＬＥＤとを有する。
【００３２】
発明の解決法の第９の変形形態においては、ＬＥＤモジュールが各場合において５個より少ない異なるＬＥＤ、すなわち、黄緑もしくは白の蛍光ＬＥＤと、４３０ｎｍ−４８０ｎｍ、好ましくは４５０ｎｍ−４８０ｎｍのピーク波長を有する単色である青の発色ＬＥＤと、６３０ｎｍ−６６０ｎｍのピーク波長を有する単色である赤の発色ＬＥＤとを有する。この場合、青の発色ＬＥＤは蛍光ＬＥＤの蛍光材料層の下に配置されてはならず、赤の発色ＬＥＤは任意に配置することができる。
【００３３】
全ての変形形態において、複数の発色ＬＥＤを一つのＬＥＤモジュール内に各色のために設置することが当然できる。さらに、複数の蛍光ＬＥＤを一つのＬＥＤモジュールに設置することもできる。
【００３４】
フィルム及びビデオを撮影するための最適な色調を設定するために、ＬＥＤモジュールの個々の発色ＬＥＤから発せられる光束部が決定され、ＬＥＤの発光強度が継続的もしくは断続的に探知されることで周囲の環境の変化及びモジュールの経年劣化の影響を補償する。この目的のために取り付けられた管理及び制御装置は少なくとも一つの測定装置を有しており、それはＬＥＤのボードとスポットライトの前面との間に配置されており、一定の温度に制御されていることが好ましく、ＬＥＤの発光強度を測定し、比色計、ＲＧＢセンサ、Ｖ（λ）センサ、又は光センサとして体現される。
【００３５】
ある有益な実施形態においては、測定装置が少なくとも５つの光センサによって形成されており、各センサは３８０ｎｍから７８０ｎｍまでの可視の波長範囲において異なるスペクトルの感度を有する。この場合、少なくとも５つの光センサは二色性フィルタを例とする光学フィルタによってＬＥＤから発せられる発光に対してナローバンドになるようそれらのスペクトル感度に関して最適化されており、単色ＬＥＤの発光成分を決定するために単色ＬＥＤの最大値に対するそれらのスペクトル感度に関して重視されている。白又は黄緑の蛍光ＬＥＤの発光成分を決定するための光センサのスペクトル感度は、５３０．．．６１０ｎｍの範囲もしくは６５０．．．７５０ｎｍの範囲のいずれかにおいて最大値を有する。単色の青色ＬＥＤを含まないＬＥＤの組み合わせの場合は、白又は黄緑の蛍光ＬＥＤの発光成分を決定するための光センサのスペクトル感度の最大値は、代わりに４３０．．．４９０ｎｍの波長範囲にある。この装置の利点は、含まれる全てのＬＥＤカラーの光束部がセンサの信号から直接及び同時に決定され、必要であれば、ＬＥＤの強度が例えば熱的に影響を受ける輝度若しくは色の変化を探知するために修正される。予め決められた目標の色軌跡に関する偏差の場合、その後に色軌跡が直ちに、継続的に、そして使用者若しくはカメラを乱すことなく再調整される。それ故に使用者への警告は未然に防ぐことができ、別々の作業段階において光束部を決定する必要がない。
【００３６】
発明のある実施形態においては、各ＬＥＤカラーの代表的な部分が測定装置の光検出面に連結されており、例えば側部照射ＬＥＤのアレイの前に適合された光誘導プレートが光を混合及び均一化し、上向きに単一に出ることを許容する。各ＬＥＤカラーの主だった部分は光誘導プレートの外向きの周辺反射性被覆の小さな開口部を通って測定装置内へ導かれる。
【００３７】
代替形態においては、ＬＥＤモジュールのアレイの熱を発する部分に配置されたモニタＬＥＤモジュールは測定受信機を照らすために用いられ、最適な波長によってＬＥＤから発せられた発光の一部は想定装置内へ導かれる。
【００３８】
別の代替形態においては、ＬＥＤモジュールのアレイの熱を発する部分に同様に配置されたモニタＬＥＤモジュールは測定受信機を間接的に照らすために用いられる。この場合、モニタＬＥＤモジュールは、モニタＬＥＤモジュール上に適合されており、頂部に向けて反射するように被覆されている拡散ラミナを照射することによって、測定のために入射する周囲の光を排除する。センサはモニタＬＥＤモジュールに平行に向けて配置され、拡散ラミナによって反射された光を検出する。センサに横方向に入射する周囲の光の検出を回避するために、センサは例えば環状の管であって、その開口が拡散ラミナの大きさと距離とに調整されている管に適合される。また、拡散ラミナはモニタＬＥＤモジュール上に配置された測定カプセル内のセンサと共に配置され、前記カプセルは光を漏らさず、内側が白もしくは反射するように被覆されている。
【００３９】
さらに、測定装置に用いられている色センサのスペクトル感度は干渉フィルタによって調整されており、色センサの開口は一般に１０°未満の小さな開口に限定されるべきであり、それによって斜めに入射した光の結果である色の逸脱を最小化できる。
【００４０】
個々のＬＥＤの色の測定は手動で開始され、光及び／又は音の信号装置は、予め決められた所望される値からの現在の設定の偏差を示す。
【００４１】
所望される色温度、所望される色軌跡、前方に設置された色補正フィルタを模倣する色補正、及び／又は色フィルタ若しくは光源を模倣する光の色は、使用者のインターフェースによって入力されることが好ましい。
【００４２】
別の有益な実施形態においては、色温度が減光モードのスポットライトの輝度に依存して自動的に調節及び探知されるようにスポットライトが設計されている。例えば、輝度によって色温度が変化する白熱灯の減光は、スポットライトの輝度が変化する時に、色温度は同時に調整もされることで、白熱灯の減光性に対応する輝度と色のプロファイルが得られるという事実によって模倣される。
【００４３】
さらに、使用者によって選択されるあらゆる所望の光源及び／又は光の色が設定できるようにスポットライトを設計することが考えられ、有益である。この場合、模倣される光源は特に蛍光灯であろう。例えば、４２００Ｋの色温度と８０より大きな演色指数ＣＲＩを有する蛍光灯の光の色８４２は、その後に使用者によって決定され、フィルム及びビデオを撮影する時に色かぶりが最小になるようにスポットライトによって模倣される。これは、スポットライトが例えばレポート光として蛍光灯を備えた建物の中で録画するために用いられる時に特に都合が良く、使用者のためにスポットライトの取り扱いのしやすさと操作性とを向上させる。
【００４４】
上述の特徴を有するスポットライトを用いてフィルム及びビデオを撮影するのに最適な色調を得るために、ＬＥＤモジュールの個々のＬＥＤから発せられる光束部は以下の手順によって設定される。
【００４５】
スポットライトから発せられる最適な色調を設定する方法は、スポットライトが点灯された後にＬＥＤカラーの最も利用できる発光成分が測定され、スポットライトの稼動中に時々現在のＲＧＢ又はＬＥＤカラーの強度の値が測定され、ＬＥＤの色の発光強度は現在のＲＧＢ若しくはそれぞれのＬＥＤカラーのために決定された発光強度の値を考慮して再調節されることで、色温度と経年劣化の影響を補償する事ができる特徴を有する。
【００４６】
この場合は、現在の色軌跡が現在のＲＧＢ又はＬＥＤカラー（Ｒ、Ｇ、Ａ、Ｂ、Ｙｅ）の全ての発光強度の値から算出され、目的とする色から偏差する場合は、現在のＲＧＢ又は個々のＬＥＤカラー（Ｒ、Ｇ、Ａ、Ｂ、Ｙｅ）の強度の値が測定される。その後に、ＬＥＤカラー（Ｒ、Ｇ、Ａ、Ｂ、Ｙｅ）の発光強度が現在のＲＧＢ又はそれぞれのＬＥＤカラー（Ｒ、Ｇ、Ａ、Ｂ、Ｙｅ）に対して決められた強度の値を考慮して再調整される。
【００４７】
稼動中における現在のＲＧＢ又はＬＥＤカラーの強度の値の測定は、第一の代替形態において、個々のＬＥＤカラーが順番に短時間で連続的に稼動されてＲＧＢ若しくは強度の値が測定されることでなされる。
【００４８】
第二の代替形態においては、二つ若しくは多くても三つのＬＥＤカラーが連続的に稼動されて一緒に測定され、個々のＬＥＤカラーの強度は測定されたＲＧＢの値から算出される。
【００４９】
第三の代替形態においては、最初に全て合わせた発光が測定されて、その後にそれぞれ個々のＬＥＤカラーが順番に消され、残ったＬＥＤカラーのＲＧＢと強度の値とが測定され、それぞれ消されたＬＥＤカラーのＲＧＢ若しくは強度の値が引き算によって決定される。
【００５０】
モニタＬＥＤモジュールの発光が前記モジュールに割り当てられた測定装置によって検出される実施形態においては、測定の開始とそれに続くＬＥＤの強度状態の制御とは、この目的のためにモニタＬＥＤモジュールのＬＥＤカラーが単独で短く点灯及び消灯され、輝度の合計に対するモニタＬＥＤモジュールの関与が１％より小さい場合には、頻繁で定期的になされる。この場合、測定及び制御サイクルの結果として、色の変動である輝度の乱れはフィルム又はビデオの撮影の途中においては生じない。
【００５１】
最後である第四の代替形態においては、ＬＥＤカラーの発光成分は異なるスペクトル感度を有する光センサを用いて全てのＬＥＤカラーの発光の合計を測定することによって決定される。これの必要条件は、光センサの数が用いられているＬＥＤカラーの数と一致することである。この変形形態の長所は、照明作業を乱す追加の作業手順が発光成分の検出に必要とされず、むしろ発光線分はスポットライトの稼動中に連続的に決定されることである。
【００５２】
本発明に基づくＬＥＤスポットライトの基本構造、色調及び色温度の設定、及びＬＥＤスポットライトの稼動中における色の強度の制御は、図中に示されている実施例に基づいてより詳細に説明される。
【発明を実施するための最良の形態】
【００５３】
図１はスポットライトの発光面又はＬＥＤボード１の模式的な平面図を示しており、前記スポットライトは個々もしくはグループで制御装置２に接続されている横及び縦に並んだＬＥＤモジュール３のアレイを有し、前記制御装置は例えば個々のＬＥＤモジュール３又はＬＥＤモジュールのグループへの電力供給を変更する。これはパルス幅変調（高速で撮影する時に露光のばらつきを避けるために１０ｋＨｚより大きな周波数）によってＬＥＤモジュールへの電流の供給を変更することによって、又は抵抗の変更などによって直流電流の強度を変更することによってなされる。
【００５４】
ＬＥＤモジュール３から発せられた光束部を検出するために、感光面を有する測定装置７が備わっており、各ＬＥＤカラーの代表的な部分が関連付けられている。この目的のため、測定装置７は例えば薄い光導波管を介して白い拡散ラミナに接続されており、それは頂部に向けて反射するよう被覆されていると共に、ＬＥＤモジュールの発熱部においてモニタＬＥＤモジュール上に配置される。拡散ラミナは各ＬＥＤカラーの照射を受け、それを光導波管に導く。光導波管８の対応する装置又は光導波管を用いないセンサの代替装置を模式的な断面が図９Ａ、９Ｂ及び１７Ａから２１Ｂに図示されている。
【００５５】
ＬＥＤモジュール３から発せられる全て合わせた色が連続的に又は所定の時間間隔で測定されることによって、外気温及びＬＥＤモジュール３における経時劣化による変化などの外部要因による変化を継続的に考慮することができる。所望される色軌跡の設定からの偏差が処理中に起きた場合、所定の時間間隔又は手動での開始のいずれかによってＬＥＤモジュールのＬＥＤカラーの個々の強度を測定し、色を再調節することが可能である。
【００５６】
図２及び４は異なるＬＥＤモジュール３及び３’の模式的な平面図を図示しており、図３及び５は図２及び４のＩＩＩ−ＩＩＩ及びＶ−Ｖに沿ったモジュール３及び３’の断面をそれぞれ図示している。
【００５７】
図２の模式的な平面図に図示されているＬＥＤモジュール３は、中央に黄緑又は白の蛍光ＬＥＤ４のチップ４０と、その周囲に配置された複数の発色ＬＥＤ６１から６４とを有し、緑から赤の波長である６個の発色ＬＥＤ６２から６４が黄緑又は白の蛍光ＬＥＤ４のチップ４０の周囲にグループ化されている。この場合、それらは必須ではないが、チップ４０に直接隣接することができる。黄緑又は白の蛍光ＬＥＤ４の蛍光材料層４１は黄緑又は白の蛍光ＬＥＤ４のチップ４０及び発色ＬＥＤ６２−６４を覆う。さらに、青もしくはシアンの発色ＬＥＤ６１のみが蛍光材料層４１の外側に配置されることで、それらの照射が蛍光材料層４１を励起して二次的な発光をなさないようになっており、こうして青又はシアンの発色ＬＥＤ６１の発光は蛍光ＬＥＤ４の発光及び発色ＬＥＤ６２−６４の発光から独立して設定できる。
【００５８】
以下は機能について記載されている。蛍光ＬＥＤ４は蛍光材料層４１によって覆われた青色ＬＥＤチップ４０を有する。ＬＥＤチップ４０から発せられた青色の発光は蛍光材料を励起することで、より長波長（例えば黄緑）の二次的な照射をもたらす。蛍光ＬＥＤ４の全て合わさった色は、励起されていない蛍光材料を通過する青色光成分と、より長波長の発光へとシフトした光の色との混合した色である。蛍光ＬＥＤ４から放たれた光の色軌跡（標準の色度座標ｘ、ｙ）は蛍光材料の選択及びその層の厚さによって変化し、標準の色度図においては、青の一次的な発光と蛍光材料の二次的な発光との二つの色軌跡の間を結ぶ直線上に位置する。
【００５９】
例えば、黄若しくは黄緑の彩色を有する蛍光体又は蛍光体の混合物が蛍光材料として用いられる。この場合、蛍光ＬＥＤ４の色軌跡及び色温度は蛍光材料層４１として用いられた蛍光体又は蛍光体混合物の層の厚さに依存して、黄、黄緑、温白から中性白を介して５００００Ｋの色温度を有する昼白へと変化する。
【００６０】
したがって、用いた蛍光材料層に応じて黄色と昼白色の間の色軌跡及び色温度を有する蛍光ＬＥＤ４が製造でき、スポットライトに用いることができる。そのような蛍光ＬＥＤは、これ以降において一般に黄緑もしくは白の蛍光ＬＥＤ４と呼ぶ。
【００６１】
緑、黄、アンバー、及び／又は赤のＬＥＤ６２−６４から発せられる光の発光スペクトル成分は、蛍光材料の励起スペクトルより上に位置しており、このことを原因として蛍光材料によって吸収されず、より長波長の発光へと変換されない。結果的に、これらのＬＥＤの発光は蛍光材料によってスペクトル的に変化しない。緑のＬＥＤの場合に限って、短波長のスペクトルの極一部が蛍光材料によってより長波長（黄緑）の発光へと変換される。変換された部分が人の目のスペクトルの明所視感度曲線に対して都合よく位置するため、この効果は緑のＬＥＤの蛍光効率をわずかに向上させ、演色の障害など悪影響はまったく生じない。それ故に、緑の発色ＬＥＤは蛍光材料層の下に同様に配置することができる。
【００６２】
したがって、発色ＬＥＤ６２−６４が蛍光材料層の下に配置されたとしても、それらの外見上は変化していないナローバンドのＬＥＤスペクトルのために、それらは蛍光ＬＥＤではなく、むしろ発色ＬＥＤとなる。
【００６３】
対照的に、そのスペクトル組成に関しては、青又はシアンのＬＥＤ６１から発せられる発光は黄緑の蛍光材料の励起スペクトル内に位置する。それ故に、前記発色ＬＥＤは、その発光が蛍光材料によって過度に大きい度合いでスペクトルを変更されてしまうため、蛍光材料層の下に付随的に配置することはできない。青又はシアンのチップ６１の空間配置に応じて、チップから側方に放たれるごくわずかな光束部は蛍光材料層に作用し、より長波長である黄緑の発光（図６参照）へと変換される可能性がある。しかしながら、緑のＬＥＤと同様の理由によって、この作用は全て合わせた発光の効率もしくは色の質に関する不利益にはまったく関与しない。
【００６４】
図４及び５のモジュール３’の代替形態において、黄緑又は白の蛍光ＬＥＤ４のチップ４０は、同様に中央に配置され、複数の発色ＬＥＤ６１−６４によって囲まれている。この場合、青又はシアンのＬＥＤ６１と同様に、別の発色ＬＥＤ６２−６４も蛍光ＬＥＤの蛍光材料層４１によって覆われておらず、前記層はチップ４０上に延びているのみである。ＬＥＤから発せられる光の前視準を起こすために、個々のＬＥＤは「キャップ」又は「キャビティ」と呼ばれるマイクロリフレクタに埋め込まれ、それは吸収による光の損失を最小にするため、銀メッキされることが好ましい。
【００６５】
図２及び４における４つの異なる色の発色ＬＥＤ６１−６４の使用は、例としてのみ理解されるべきである。また、異なる数の異なるＬＥＤを用いることは可能であり、及び／又は後者は異なる方法で配置される。この場合、ある好ましい実施形態は、例えば端の長さが１ｍｍである中央蛍光ＬＥＤの周囲に４個の青の発色ＬＥＤと、４個の緑の発色ＬＥＤと、２個のアンバーの発色ＬＥＤと、６個の赤の発色ＬＥＤとを有する。この場合、緑、アンバー及び赤の発色ＬＥＤは中央蛍光ＬＥＤの周囲にできる限り均一に配置され、それは例えば蛍光ＬＥＤの周囲に２個の同心円上に配置されることによる。また、青又はシアンのＬＥＤ６１は常に蛍光ＬＥＤの蛍光材料層の外側に配置されるものの、他の色も用いることができる。
【００６６】
図６はＬＥＤモジュールの青の発色ＬＥＤ６１（Ｂ）と、緑の発色ＬＥＤ６２（Ｇ）と、アンバーの発色ＬＥＤ６３（Ａ）と、赤の発色ＬＥＤ６４（Ｒ）と、黄緑の蛍光ＬＥＤ（Ｙ）の波長スペクトルを示し、図７及び図８は二つの最適なＬＥＤの組み合わせの波長スペクトルを示しており、適切な温白もしくは昼白の全発光の色温度及び優れた演色と併せて、全ての混合色の性能がフィルム及びビデオを撮影するために用いる場合に保証される。この場合、隣接した蛍光材料によってより長波長の発光へと変換されたわずかな光束部が青色ＬＥＤのスペクトルから識別できる。
【００６７】
二つの実施例は黄緑の蛍光ＬＥＤと併せて上述のＬＥＤカラーを用いており、図６によるとそのピーク波長は以下の波長λである。
ピーク波長λ
発色ＬＥＤ          （ｎｍ）
青                  ４６１
緑                  ５２２
アンバー            ６３１
赤                  ６４６
蛍光ＬＥＤ
黄緑                ５６３
【００６８】
二つの実施例は「タングステン」及び「日光」の設定用である二つのＬＥＤの組み合わせを有しており、最適なＬＥＤの組み合わせは上述のＬＥＤカラーである青、緑、アンバー、及び赤と、黄緑の蛍光ＬＥＤとを含む。
【００６９】
「タングステン」及び「日光」設定用でフィルム及びビデオの撮影に最適化したＬＥＤモジュールは、以下の前記ＬＥＤカラー及びそれらのピーク波長の光束部によって構成される。
ＬＥＤカラー    タングステン          日光
青                  ３．４％        １０．５％
緑                  ０．２％        １０．４％
アンバー            ７．４％          ５．９％
赤                  ４．１％          ０．０％
黄緑              ８４．８％        ７３．２％
合計            １００．０％      １００．０％
【００７０】
これは「日光」の設定において９３の演色指数ＣＲＩを伴う５７３２Ｋの色温度をもたらし、その波長分布は図７に図示されている。また、「タングステン」の設定において９６の演色指数ＣＲＩを伴う３２１５Ｋの色温度をもたらし、その波長分布は図８に図示されている。
【００７１】
色温度、演色指数ＣＲＩ、光源の発光スペクトル分布、投影用光源としてのキセノンランプと組み合わせられた「タングステン」及び「日光」に対して感光されるカラーネガ及びカラーポジフィルムのスペクトル感光性から、混合光の性能の実験的評価変数が決定され、それによって両実施例がフィルム及びビデオ撮影に非常に適していると認められる。
【００７２】
図２５はＬＥＤモジュールの青の発色ＬＥＤ６１（Ｂ）、緑の発色ＬＥＤ６２（Ｇ）、黄の発色ＬＥＤ（Ｙｅ）、及び赤の発色ＬＥＤ（Ｒ）と、昼白色の蛍光ＬＥＤ４（ＤＬ）及び温白色の蛍光ＬＥＤ４（ＷＷ）との波長スペクトルを示しており、それは別の実施形態において一つのＬＥＤモジュール内で組み合わせられ、昼白又は温白の蛍光ＬＥＤは一つのＬＥＤモジュール内で発色ＬＥＤと共に配置される。
【００７３】
四つの実施例は昼白（ＤＬ）の蛍光ＬＥＤ及び温白（ＷＷ）の蛍光ＬＥＤと組み合わせて上述のＬＥＤカラーを用いており、図２５によるとそのピーク波長は以下の波長λとなる（蛍光ＬＥＤ対し、各場合において蛍光ＬＥＤに最も良く似た色温度がｑピーク波長の代わりに特定される。）：
発色ＬＥＤ      ピーク波長λ（ｎｍ）
青                    ４６１
緑                    ５２２
黄                    ５９４
赤                    ６４６
蛍光ＬＥＤ            最も良く似た色温度（ケルビン）
昼白                            ５３７０
温白                            ３１７０
【００７４】
以下に記載の実施例は「温白」及び「日光」の設定用の二つのＬＥＤの組み合わせに関連しており、最適なＬＥＤの組み合わせは上述のＬＥＤカラーの青、緑、黄、赤及び昼白及び温白の蛍光ＬＥＤを含む。
【００７５】
そして、「温白」及び「日光」の設定のフィルム及びビデオの撮影に最適なＬＥＤモジュールは上述のＬＥＤカラー及びそれらのピーク波長の以下の光束部によって構成される：
昼白の蛍光ＬＥＤが用いられる場合：
光束部
ＬＥＤカラー      温白        昼白
青                  ０％    １．３％
昼白              ４５％      ８３％
緑                ２３％      １０％
黄                １９％    １．７％
赤                １４％        ４％
合計            １００％    １００％
これは「温白」設定において３２１１Ｋの色温度及び９２の演色指数ＣＲＩと、フィルム及びビデオを撮影する時に白熱灯と非常に良く混合する光の性質とをもたらし、「昼白」設定においては、５８００Ｋの色温度及び９３の演色指数ＣＲＩと、フィルム及びビデオを撮影する時に日光又はＨＭＩライトと非常に良く混合する光の性質とを同様にもたらす。
温白の蛍光ＬＥＤが用いられる場合：
光束部
ＬＥＤカラー      温白        昼白
青              １．２％    ４．２％
緑                ２１％      ２３％
黄            １２．３％    ５．８％
赤            １０．５％        ３％
温白              ５５％      ６４％
合計            １００％    １００％
これは「温白」設定において３１９８Ｋの色温度及び９５の演色指数ＣＲＩと、非常に良く混合する光の性質とをもたらし、「昼白」設定においては、５８００Ｋの色温度及び９４の演色指数ＣＲＩと、非常に良い混合する光の性質とを同様にもたらす。
【００７６】
図２５に図示された波長スペクトルを有するＬＥＤをＬＥＤモジュールと組み合わせて用いることで、設定されたＬＥＤモジュールの色軌跡内に大きな領域がもたらされるという利点を得る。これは図２６に図示されており、図２６は、青、緑、黄、及び赤の発色ＬＥＤと温白又は昼白の蛍光ＬＥＤとの組み合わせを有するＬＥＤモジュールの領域Ｇａ１と、青、緑、アンバー、及び赤の発色ＬＥＤと温白又は昼白の蛍光ＬＥＤの組み合わせを有するＬＥＤモジュールの領域Ｇａ２とを示す。広がった領域Ｇａ１の重大な利点は領域Ｇａ１が２０００Ｋ未満の非常に低い色温度の設定でさえプランク軌跡Ｐを含み、この点において同時に非常に優れた光の混合性を備える非常に優れた演色性を有した白色光を生じることができる。
【００７７】
プランク軌跡Ｐ全体はスポットライトによって模倣することができるということが、例えば白熱灯（「タングステン」）の薄暗い性質の模倣に利用でき、特に明度が低いときは明度（輝度）に依存する図２７に示されるような色温度は、２０００Ｋ以下の低い値をとる。薄暗くした白熱灯の光をまねるために、模倣される白熱灯の薄暗い明度に相当する低い色温度が、青、緑、黄、及び赤の発色ＬＥＤと温白、昼白又は黄緑の蛍光ＬＥＤの組み合わせを有し、大きな領域Ｇａ１を伴うＬＥＤモジュールを用いてその後に設定される。
【００７８】
また、これに関しては、スポットライトの薄暗い設定において白熱灯又は模倣される他のランプの薄暗いプロファイルをまねすることが、スポットライトの明度及び色温度の与えられた変数が白熱灯もしくは他のランプの薄暗い性質に基づいて調節されるという事実によって想像できる。
【００７９】
大きな領域Ｇａ１を利用することによって、全ての所望される光源及び／又は使用者によって選択される光の色が設定できるようにスポットライトを設計することが想定でき、また有益である。例えば、４２００Ｋの色温度と８０より大きな演色指数ＣＲＩとを有する蛍光灯の光の色８４２が使用者によって予め設定され、また、フィルム及びビデオを撮影する時に最適な色の混合能を達成できるようにスポットライトによって模倣される。従ってフィルム及びビデオを撮影する時に色かぶりが最小限にされることで、例えばその後に建物内で単純に用いられる報告用ライトとして用いられる。
【００８０】
図２２は、ＬＥＤモジュールの青の発色ＬＥＤ６１（Ｂ）、赤の発色ＬＥＤ６４（Ｒ）、及び黄緑の蛍光ＬＥＤ（Ｙ）用の別の実施形態に用いられる波長スペクトルを示しており、図２３及び２４は二つの最適なＬＥＤの組み合わせの波長スペクトルを示す。
【００８１】
二つの実施例は上述のＬＥＤカラーを黄緑の蛍光ＬＥＤと一緒に用いており、図２２によるとそのピーク波長は以下の波長λである：
発色ＬＥＤ      ピーク波長λ（ｎｍ）
青                    ４６４
赤                    ６４６
蛍光ＬＥＤ
黄緑                  ５６２
【００８２】
二つの実施例は「温白」及び「昼白」の設定用の二つのＬＥＤの組み合わせに関係しており、最適なＬＥＤの組み合わせは上述のＬＥＤカラーの青及び赤と黄緑の蛍光ＬＥＤとを含む。
【００８３】
「温白」及び「昼白」の設定のフィルム及びビデオの撮影に最適なＬＥＤモジュールは、上述のＬＥＤカラー及びそれらの波長の以下の光束部から構成される。
ＬＥＤカラー    温白            昼白
青            ２．９％        ８．１％
赤            ７．９％        １．８％
黄緑        ８９．２％      ９０．１％
合計      １００．０％    １００．０％
【００８４】
以下の結果が得られた。温白設定の場合は、演色指数ＣＲＩ＝９３を伴う色温度ＣＣＴ＝３２２４Ｋ及び非常に優れた光の混合能であり、昼白設定の場合は、演色指数ＣＲＩ＝８７を伴う色温度ＣＣＴ＝５４７０Ｋ及び良い光の混合能であった。「昼白」設定の波長分布が図２３に図示されており、「温白」設定の波長分布が図２４に図示されている。
【００８５】
図２２から２４の実施形態は、３つのＬＥＤカラー（黄緑の蛍光ＬＥＤ、青及び赤）のみを有するために、単純な実施形態である利点を有する。３つの組み合わせとして、演色指数（９０以上に代えて８７）及び非常に良い光の混合能に代えて良いのみにを備えた昼白設定への小さな妥協によって、非常に単純で、それ故により費用効果が高いシステムを構成する。
【００８６】
図１７Ａから２１Ｂは光センサ（光センサ、Ｖ（λ）センサ、ＲＧＢセンサ又は比色計）の配置を可能にするＬＥＤスポットライトを示す。
【００８７】
ビーム形成は、例えば柔らかな光のスポットライト用の微小光学的に作られたプレート又はスポットライト用のレンズ、適している場合はＬＥＤが埋め込まれたマイクロリフレクタと共に微小光学部品によってなされる。
【００８８】
スポットライトの別の特徴は、作動している状態で色が比色計によって測定されて再調整されることで、熱及び経時劣化の影響を補償する事ができることである。
【００８９】
この目的のために取り付けられた管理もしくは制御装置は、少なくとも一つの測定装置７を有しており、それは一定の温度に制御されていることが好ましく、白い拡散ラミナ９からの光を受ける。拡散ラミナは発光面とスポットライトの前側又は後側との間に配置されており、例えば発熱場所に配置された一つ又は二つのモニタＬＥＤモジュールによって照らされる。測定するため入射した外部の光を除去するために、拡散ラミナ９は頂部に向けて反射するようにコートされている。拡散ラミナ９への光の入射は、比色計、ＲＧＢセンサ、Ｖ（λ）センサ又は光センサとして具体化されている測定装置７へと向けられる。
【００９０】
具体的には、図１７Ａ及び１７Ｂにおける第１の実施例において、ＬＥＤボード１に配置されたＬＥＤモジュール３の一つがモニタＬＥＤモジュール３’’として設置されている。拡散ラミナ９はスクリーン１０の下側に配置されている。それは頂部及び側部の両方に向いた反射性被覆９１を有する。反射性被覆９１は測定するために入射する外部の光を除去する。拡散ラミナ９は、測定装置７に接続されている光学導波管８’に連結されている。前記測定装置７は図示される実施例においてＬＥＤボード１の端の部分に配置されている。スクリーン１０は透過性スクリーン又は拡散性スクリーンとして具体化されることが好ましく、ＬＥＤモジュール３から発せられる光のビーム形成用の微小構造を有する。拡散ラミナ９は例えばＰＴＦＥから作られる。
【００９１】
モニタＬＥＤモジュール３’’から発せられた光は拡散ラミナ９を照らし、光導波管８’によって測定装置７へと拡散ラミナから誘導される。反射性被覆９１は入射した外部の光が測定において考慮されるのを防ぐ。
【００９２】
二つのモニタＬＥＤモジュール３’’が図１８Ａ及び１８Ｂにおける実施例において設置されている。測定装置７はＬＥＤボード１上の前記モニタＬＥＤモジュール３’’の間に配置される。拡散ラミナ９は被覆又は拡散スクリーンの下側に再度配置され、スクリーン１０に隣接する反射性被覆９１を有する。この実施形態においては、モニタＬＥＤモジュール３’’から発せられた光は拡散ラミナ９で反射され、測定装置７によって直接検出される。この場合、拡散ラミナ９の方向に開口しているハウジングは、開口を適合させるために測定装置７の上に配置されるであろう。前記ハウジングの高さは、測定装置又はセンサ７の開口が拡散ラミナ９と協調し、側方からの入射光が陰になるように形成されている。
【００９３】
図１９Ａ及び１９Ｂの実施例において、図１８Ａ及び１８Ｂの実施例の場合と同様に、測定装置７（センサチップとして実施されているのが好ましい）がＬＥＤボード１上にモニタＬＥＤモジュール３’’と共に配置されている。測定装置７は拡散ラミナ９による反射光によって直接照らされている。非拡散又は被覆スクリーンがこの実施形態には存在する。拡散ラミナ９は測定窓カプセル１１内に配置されており、前記カプセルは光を逃さないように作られていることが好ましく、この目的のために例えば反射するよう被覆されている又は内部が白い。拡散ラミナはセンサ７から離間した側に反射層を同じように有する。測定窓カプセル１１はモニタＬＥＤモジュール３’’及び測定装置７の上側にＬＥＤボードに配置される。
【００９４】
図２０Ａ及び２０Ｂにおける実施形態においては、モニタＬＥＤモジュール３’’がＬＥＤボード１の後側の発熱場所に配置される。この実施形態においては、測定装置７はモニタＬＥＤモジュール３’’上に設置された測定窓カプセル１１’内に配置される。モニタＬＥＤモジュール３’’は直接測定装置７を照らす。測定窓カプセル１１’は、光を逃さなくなっており、このために内部が白、黒又は反射性被覆であるよう実施されることが好ましい。この実施形態の一つの利点は、使用者に見えないことである。別の利点は、モニタＬＥＤモジュール３’’からの光がスポットライトの有用な発光に影響を与えないことである。したがって、モニタＬＥＤモジュールは他のＬＥＤモジュールから独立して接続することができ、このＬＥＤ光束部の測定は、フィルム又はビデオを撮影する過程において明度の変動が乱れを生じているときを除いて、あらゆる希望する時点で実施することができる。
【００９５】
図２１Ａ及び２１Ｂにおける実施形態において、測定装置７はＬＥＤボード１の後側に同様に配置される。図１９Ａ及び１９Ｂと同様に、測定装置７には測定窓カプセル１１’において拡散ラミナ９から反射した光があたる。この場合、測定装置７はＬＥＤボード１の下側であって測定窓カプセル１１’の中のモニタＬＥＤモジュール３’’の傍に配置される。測定窓カプセル１１’は光を逃がさないように作られている。
【００９６】
別の実施形態が図９Ａ及び９Ｂに示されている。この実施形態においては、ＬＥＤ５は側部照射ＬＥＤとして作られている。側部照射ＬＥＤを有する５つのグループを伴う装置が設置されているのが好ましく、１つのＬＥＤグループは白の蛍光ＬＥＤを有し、４つのＬＥＤグループは発色ＬＥＤを有する。こうして５つのグループのそれぞれは特定の色の側部照射ＬＥＤを有する。側部照射ＬＥＤの５つの色の光束部は、各場合においてグループで稼動することで所望される色又は色温度を設定することができる。
【００９７】
例えば、１１倍の１７個の側部照射ＬＥＤ、すなわち１８７個、が備わっており、それらは以下のように５つの色に分けられている：５０１ｎｍのピークを有するシアンの発色ＬＥＤが１７個、５２２ｎｍのピークを有する緑の発色ＬＥＤが３２個、昼白の蛍光ＬＥＤが１０３個、５９３ｎｍのピークを有する黄の発色ＬＥＤが２４個、及び６３５ｎｍのピークを有する赤の発色ＬＥＤが１１個。
【００９８】
側部照射ＬＥＤ５から発せられた光は光誘導板１２に導かれ、多数の反射によって混合した光を作り出し、結果的に一つになった光及び均一な色になった表面を作り出す。光誘導板１２は反射性被覆又は反射性の高い光学層１３を底部に有する。また、側方反射被覆１４が備えられることによって、側方に発する光に起因する光のロスを回避することができる。頂部において、光誘導板１２は何も有さないか、目的のビームを方向付けするための光学微小機器（図示しない）を有するかのいずれかである。
【００９９】
ＬＥＤ５用の穴１５が光誘導板１２及び下方の反射層１３に導入されているが、前記穴は貫通して作られてはいない。穴１５は斜面１５１をその上側に有し、前記斜面はＬＥＤ５の上向きに発せられる発光成分も光誘導板１２へと側方に導き、それ故に均一性がさらに改善される効果を有する。
【０１００】
小開口部１６は周辺の反射被覆１４に形成され、センサチップ７が前記小開口部に配置されている。従って、前記センサチップは全ＬＥＤの強度を検出する。
【０１０１】
管理及び制御のためには、各実施形態においてセンサ７がＬＥＤカラー毎にスポットライトのＬＥＤカラーの全光束部に直接比例する一定の光束部を受ける場合は、それは十分である。スポットライトの較正によって（図１４、較正フロ−チャート参照）、必要な強度補正因子及び薄暗い性質は、色ごとに決定されて各スポットライト用の内部メモリに記憶される。
【０１０２】
個々のＬＥＤカラーの測定は手動で開始され、光及び／又は音の信号装置が予め決められた所望する値から現在の設定の偏差を示す。
【０１０３】
所望する色温度及び／又は所望する色軌跡及び／又は前部に配置された色補正フィルタのエミュレーションが使用者のインターフェースによって入力される。
【０１０４】
色補正は、ジャッド直線に沿って色をシフトさせるための「プラス／マイナスグリーン」の入力、又はプランク軌跡に沿って色をシフトさせるためにＣＴＯ若しくはＣＴＢ値を入力することによってもたらされて実行される。この場合、ＣＴＯ値（ＣＴＯ：オレンジの色温度）を予め決定することは最も良く似た色温度の減少を意味し、対照的に、ＣＴＢ値（ＣＴＢ：青の色温度）は最も良く似た色温度の増加を意味する。これらの値は通常、色補正フィルタを特定するのに役立ち、一般的な色補正フィルタの製造者によって同時に特定される。
【０１０５】
図１０ＡからＣに図示されるようなＬＥＤスポットライトの色設定及び制御用プログラムのフローチャートはスタート１００の後に始まり、ＬＥＤカラーの強度を測定するための初期化１０１があり、それは図１１から１３に図示される次のフローチャートの一つに準じて実行され、例えば図１１のフローチャートに基づいて個々及びそれぞれの場合において１００％で測定される。その後、プログラムステップ１０２において較正因子ｋＸ、ｋＹ及びｋＺがＥＥＰＲＯＭメモリから読み込まれ、続いてステップ１０３において使用者は所望する色温度である希望Ｔを入力する必要がある。
【０１０６】
次のステップ１０４において、「タングステン」及び「日光」設定用の所望する明度部分がＥＥＰＲＯＭメモリから読み込まれ、これにはプログラムステップ１０５において所望する色温度、希望Ｔの関数として座標、希望ｘ及び希望ｙを有する標的色軌跡のためのＬＥＤカラーの所望する明度部分の算出が続く。
【０１０７】
算出方法１０６は、希望色温度、希望Ｔの関数として座標ｘ及びｙを有する標的色軌跡を最初に決定することと、その後に座標ｘ及びｙによって決定された標的色軌跡に「タングステン」及び「日光」用の基本混合の線形補間とがなされる。
【０１０８】
温白及び昼白（約３２００Ｋ及び５６００Ｋ）用の二つの基本混合はプランクにおいて正確に算出できるため、偏差が大きいこれら二つの色軌跡間の線形補間の場合は、プランク軌跡からわずかな偏差が生じる。さらに色温度は二つの基本混合のうちの一つに由来する。しかしながら、偏差は最大でもΔｙ＝０．００６、従って最大で２の閾値であり、それ故に無視される。特に、フィルム及びビデオ撮影に関与しない４０００Ｋから４５００Ｋあたりの色温度の範囲においてこれらの最大の偏差が生じるからである。
【０１０９】
次のステップ１０７は、フィルタによる色補正がなされるかどうかの決定を含み、そして確認の場合、新しい標的色軌跡、希望ｘ及び希望ｙのために決定されたＬＥＤカラーの所望される明度の部分がステップ１０８において算出される。その後には色混合の設定のための補正因子ｋＸ、ｋＹ及びｋＺを算出するプログラムステップ１０９が続き、続いてステップ１１０において各ＬＥＤカラーの特性曲線が読み込まれる。
【０１１０】
最大明度の調節（ブロック１１２）のために各ＬＥＤカラーの初期化の間に測定された最大明度を考慮して、それぞれのＬＥＤカラー用の希望する明度の値と特性曲線から希望ｘ及び希望ｙ用のＬＥＤカラーの希望稼動信号を算出した後に（ステップ１１１）、プログラムステップ１１３においてＬＥＤが希望稼動信号によって稼動され、全発光の三刺激の値Ｒ０、Ｇ０及びＢ０がステップ１１４において測定される。
【０１１１】
プログラムステップ１１５において、標準三刺激値
Ｘ０＝ｋＸ＊Ｒ０
Ｙ０＝ｋＹ＊Ｇ０
Ｚ０＝ｋＺ＊Ｂ０
と、標準三刺激値Ｘ０、Ｙ０及びＺ０の関数として色軌跡の座標ｘ０及びｙ０用の標準色度座標
ｘ０＝ｆ（Ｘ０、Ｙ０、Ｚ０）
ｙ０＝ｆ（Ｘ０、Ｙ０、Ｚ０）
との算出がその後に続く。
【０１１２】
次のプログラムステップ１１６は、ｘ０、ｙ０一方では希望ｘ、希望ｙの間の色度距離が所定の閾値より大きいかどうかを決定することを含む。そうである場合（ＹＥＳ）は、その後にプログラムがステップ１２１に飛び、「色ずれ」の警告が発せられる。そうでない場合は、値Ｒｔ、Ｇｔ及びＢｔがステップ１１７において測定され、標準三刺激値Ｘｔ、Ｙｔ及びＺｔと標準色度座標ｘｔ及びｙｔがプログラムステップ１１８においてそれらから算出される。
【０１１３】
プログラムの終了が次の決定ブロック１１９において決定される場合、プログラムは終了１２５へと飛ぶ。そうでなければ、ステップ１２０は色軌跡の座標ｘ０及びｙ０の標準色度座標、一方では標準色度座標ｘｔ、ｙｔの間の色度距離が所定の閾値より大きいかどうかを決定することを含む。そうである場合（ＹＥＳ）は、その後に「色ずれ」の警告がステップ１２１において同様になされる。そうでない場合（ＮＯ）は、その後にプログラムがステップ１１７に飛び、Ｒｔ、Ｇｔ及びＢｔの値を測定した後に、再び上述したループを通る。
【０１１４】
「色ずれ」の警告が発せられた後に、プログラムステップ１２２において色補正についての決定がなされ、肯定的な場合は、図１１から１３に図示されるフローチャートに基づいてそれが個々、減法的、もしくはグループ式のステップ１２３におけるＬＥＤカラーの強度測定に導く。否定的な場合は、プログラムはステップ１１７に戻り、Ｒｔ、Ｇｔ及びＢｔの測定後に、再び上述したループを通る。
【０１１５】
各ＬＥＤカラーに必要な強度差を算出した後に、最後のプログラムステップ１２５がそれぞれの所定のＬＥＤカラー用に補正された希望稼動信号を算出することを含む。
【０１１６】
図１１はＬＥＤの個別の強度測定用フローチャートを示す。例えば最初のプログラムステップ１００又はスタート２００においてプログラムが開始した後に、ＬＥＤカラーがプログラムステップ２０１において個別に稼動され、それらのＲＧＢ又はＲｉ、Ｇｉ及びＢｉの強度値がプログラムステップ２０２で測定される。次の決定ブロック２０３において、全ての所定ＬＥＤカラーが測定されたかどうかについて決定がなされる。これに否定的な答えがなされた場合、その後にプログラムはプログラムステップ２０１に戻る。全てのＬＥＤカラーが稼動されて測定された後に、プログラムはプログラムステップ２０４で終了する。
【０１１７】
図１２において図示されている代替の発色ＬＥＤのグループ化した強度測定のためのフローチャートにおいては、最初のステップ３００においてプログラムが開始して、プログラムステップ３０１において１００％で個々の発色ＬＥＤの強度測定（Ｒｉ＿１００、Ｇｉ＿１００、Ｂｉ＿１００）の初期化がなされた後に、プログラムステップ３０２が二つ又は三つのＬＥＤカラーを同時にする場合はグループでの稼動を実施することを含む。この後に、プログラムステップ３０３においてＬＥＤグループの混合発光Ｒｍ、Ｇｍ及びＢｍのＲＧＢ値の測定がなされる。
【０１１８】
この後にプログラムステップ３０４において、含まれるＬＥＤカラー＃１、＃２、同様に適切であれば＃３、のＲＧＢ値の算出が方程式に基づいてなされる。
Ｒｍ＝ｋ１＊Ｒ１＿１００＋ｋ２＊Ｒ２＿１００＋ｋ３＊Ｒ３＿１００
Ｇｍ＝ｋ１＊Ｇ１＿１００＋ｋ２＊Ｇ２＿１００＋ｋ３＊Ｇ３＿１００
Ｂｍ＝ｋ１＊Ｂ１＿１００＋ｋ２＊Ｂ２＿１００＋ｋ３＊Ｂ３＿１００
Ｒ１＝ｋ１＊Ｒ１＿１００
Ｇ１＝ｋ１＊Ｇ１＿１００
Ｂ１＝ｋ１＊Ｂ１＿１００
Ｒ２＝ｋ２１＊Ｒ２＿１００
Ｇ２＝ｋ２＊Ｇ２＿１００
Ｂ２＝ｋ２＊Ｂ２＿１００
Ｒ３＝ｋ３＊Ｒ３＿１００
Ｇ３＝ｋ３＊Ｇ３＿１００
Ｂ３＝ｋ３＊Ｂ３＿１００
【０１１９】
プログラムステップ３０５は、全てのＬＥＤカラーがグループで測定されたか否かを決定することを含み、プログラムはエンド３０６で終了するか、プログラムステップ３０２へと戻るかのいずれかである。
【０１２０】
図２２から２４の実施形態においては、三つの色のみによって色の測定及び可能であれば制御するステップのための方法が非常に単純に実現されている。それはプログラムの開始時の最初の測定の後にスポットライトを稼動させる間において、三つのＬＥＤカラーの光束部が、図１２のために説明されたように３色までのグループでの稼動に似たはっきりとした同時の全発光のＲＧＢシグナルから決定することができるからである。所定の標的色軌跡に対してずれている場合は、使用者への「警告」が未然に防がれ、それは、光束部を決定するために個々のＬＥＤカラーの手動又は自動で開始される「点滅」が回避されるからである。その代わりに、色軌跡は直ぐに継続的に再調整され、使用者又はカメラにあらゆる乱れはない。
【０１２１】
図１３はＬＥＤの減法的な強度測定のためのフローチャートを示す。プログラムの開始（スタート４００）及びプログラムステップ４０１において全てのＬＥＤが稼動した後に、全発光のＲＧＢ値Ｒｇ、Ｇｇ及びＢｇのＲＧＢ値の測定がプログラムステップ４０２においてなされる。プログラムステップ４０３において各ＬＥＤカラーの個々の停止がなされた後に、ＲＧＢ又は強度値Ｒｇｉ、Ｇｇｉ、Ｂｇｉがプログラムステップ４０４において測定され、その後にプログラムステップ４０５において各ＬＥＤカラーのＲＧＢデータが方程式によって決定される。
Ｒｉ＝Ｒｇ−Ｒｇｉ
Ｇｉ＝Ｇｇ−Ｇｇｉ
Ｂｉ＝Ｂｇ−Ｂｇｉ
【０１２２】
このループは決定ブロック４０６によって、全てのＬＥＤカラーが測定されたことが確認されるまで繰り返され、プログラムステップ４０７においてプログラムの終わりに到達する。
【０１２３】
図１４は較正用の色補正因子を決定するためのフローチャートを示しており、それは図１０Ａから１０Ｃに基づくＬＥＤスポットライトの色を設定及び制御するためのプログラムのプログラムステップ１０９において用いられている。
【０１２４】
プログラムのスタート５００の後に、プログラムステップ５０１においてＬＥＤカラーは個々に１００％で稼動される。その後にそれらのＲＧＢデータＲｉ、Ｇｉ、Ｂｉがプログラムステップ５０２において統合型ＲＧＢセンサによって測定され、ＬＥＤカラーの標準三刺激値Ｘｉ、Ｙｉ、Ｚｉがプログラムステップ５０３において外部の精密測定装置によって測定される。そして、プログラムステップ５０４においてセンサ用の較正因子が方程式に基づいて両測定値から算出される。
ｋＸｉ＝Ｘｉ／Ｒｉ
ｋＹｉ＝Ｙｉ／Ｇｉ
ｋＺｉ＝Ｚｉ／Ｂｉ
【０１２５】
このループは決定５０５に基づいて、全てのＬＥＤカラーが測定されるまで繰り返され、その後に構成因子ｋＸｉ、ｋＹｉ及びｋＺｉがプログラムステップ５０６においてメモリに記憶され、プログラムはエンド５０７で終了する。
【０１２６】
図１５はＬＥＤモジュールを較正するための稼動信号に依存する明度の特性曲線を決定するためのフローチャートを示す。プログラムのスタート６００の後に、プログラムステップ６０１において０から１００％の駆動信号の変化が各発色ＬＥＤに対してなされ、明度Ｇｉが稼動信号に依存して測定される。この特性曲線は外部センサによって決定されることが望ましい。プログラムステップ６０２においてＧｉｍａｘ＝１００％に特性曲線を規格化した後に、このループは決定６０３に基づいて全てのＬＥＤカラーが測定されるまで繰り返される。その後に、Ｇｉ＝ｆ（稼動信号）の状態で特性曲線がプログラムステップ６０４においてメモリに保存され、プログラムはステップ６０５において終了する。
【０１２７】
図１６はＬＥＤスポットライトの色の設定及び制御のためのプログラムのプログラムステップ１０８において用いられるような、ＬＥＤモジュールの色補正のためのカラーフィルタを模倣するためのフローチャートを示す。
【０１２８】
プログラムステップ７００におけるプログラムの開始の後に、プログラムステップ７０１は、一つ以上のカラーフィルタ（例えば１／２マイナスグリーン）の選択の後における色補正の使用者の入力を含む。プログラムステップ７０２において、メモリから選択された複数のフィルタ又は一つのフィルタのスペクトル透過性ρ１（λ）．．．ρη（λ）を読み込むことがこの後に続く。プログラムステップ７０３は、関数に基づいて色温度、希望Ｔを設定するためのプランク発光分布を算出することを含む。
ＳＰｌａｎｃｋ＝ｆ（希望Ｔ）
【０１２９】
続いてプログラムステップ７０４は、方程式に基づいて色温度、希望Ｔを有するプランク発光で透光する場合はフィルタ又はフィルタの組み合わせの標準色度座標ｘ、ｙを算出することを含む。
Ｓｒｅｌ（λ）＝ρ１（λ）＊．．．＊ρ（λ）＊ＳＰｌａｎｃｋ（λ）
Ｘ、Ｙ、Ｚ＝ｆ（Ｓｒｅｌ）
ｘ、ｙ＝ｆ（Ｘ、Ｙ、Ｚ）
【０１３０】
最後にプログラムステップ７０５は座標ｘ及びｙを有する色軌跡の設定に必要な明度部分を算出することを含み、プログラムステップ７０６に基づいて、色混合は希望Ｔ用のＬＥＤの組み合わせの最大限の寄与を含むことによって、最良の状態で最適な混合の色の質を維持する。ＬＥＤモジュールの色補正のためのカラーフィルタを模倣するためのプログラムはプログラムステップ７０７で終了する。
【０１３１】
図１０Ａ及び１０Ｃに図示されており上述されているＬＥＤスポットライトの色設定及び制御用プログラムと、図１１及び１６に図示されており上述されているサブルーチンとは、フィルム及びビデオを撮影するための発明に基づいて作られたスポットライトを用いる時に、発明による方法を実施することが可能なプログラムから選択することのみを表している。特に使用者の入力から色軌跡を決定するための上述された計算ステップを実行することが可能である。計算ステップにおいては、色温度、色補正又はフィルタの模倣が予め決められており、スポットライト又はその制御装置の外側になると、続いてＬＥＤカラーの必要な明度部分がそれらから決定され、スポットライト又はその制御装置のメモリにテーブルの形で記録する。テーブルは、例えば色軌跡若しくは色温度に依存したＬＥＤカラーの必要な明度部分を含む。さらに、これらのテーブルは最適演色設定、及び最適明度設定の両方のために演算することができ、メモリに記録することもできる。
【図面の簡単な説明】
【０１３２】
【図１】制御可能なＬＥＤモジュールのアレイによって構成されており、測定装置を有するスポットライトの発光面の模式図。
【図２】複数の発色ＬＥＤを覆っている蛍光材料層を有する黄緑若しくは白の蛍光ＬＥＤを有するＬＥＤモジュールの模式図。
【図３】図２のＬＥＤモジュールのＩＩＩ−ＩＩＩ線断面図。
【図４】蛍光材料層が蛍光ＬＥＤに限定されており、隣接する発色ＬＥＤを覆っていない黄緑若しくは白の蛍光ＬＥＤを有するＬＥＤモジュール。
【図５】図４のＬＥＤモジュールのＶ−Ｖ線断面図。
【図６】青の発色ＬＥＤ、緑の発色ＬＥＤ、アンバーの発色ＬＥＤ、赤の発色ＬＥＤ、黄緑の蛍光ＬＥＤの相対的な波長スペクトル図。
【図７−８】温白及び昼白の色温度でフィルム及びビデオを撮影するための最適化されたＬＥＤの組み合わせの相対的な波長スペクトル図。
【図９Ａ】側部照射ＬＥＤから放たれた光が光誘導板によって混合される測定装置を有するＬＥＤスポットライトの断面図。
【図９Ｂ】図９ＡのＬＥＤスポットライトのＡ−Ｂ線断面図。
【図１０Ａ−Ｃ】ＬＥＤスポットライトの色の設定及び色の制御のためのフローチャート。
【図１１−１３】ＬＥＤの強度を測定するための別の変形形態のフローチャート。
【図１４】色補正因子を決定及び較正するためのフローチャート。
【図１５】輝度特性曲線を決定及び較正するためのフローチャート。
【図１６】カラーフィルタを模倣するためのフローチャート。
【図１７Ａ】測定装置を備えたＬＥＤスポットライトの第１の実施形態の平面図。
【図１７Ｂ】図１７ＡのＬＥＤスポットライトのＡ−Ｂ線断面図。
【図１８Ａ】測定装置を備えたＬＥＤスポットライトの第２の実施形態の平面図。
【図１８Ｂ】図１８ＡのＬＥＤスポットライトのＡ−Ｂ線断面図。
【図１９Ａ】測定装置を備えたＬＥＤスポットライトの第３の実施形態の平面図。
【図１９Ｂ】図１９ＡのＬＥＤスポットライトのＡ−Ｂ線断面図。
【図２０Ａ】測定装置を備えたＬＥＤスポットライトの第４の実施形態の平面図。
【図２０Ｂ】図２０ＡのＬＥＤスポットライトのＡ−Ｂ線断面図。
【図２１Ａ】測定装置を備えたＬＥＤスポットライトの第５の実施形態の平面図。
【図２１Ｂ】図２１ＡのＬＥＤスポットライトのＡ−Ｂ線断面図。
【図２２】青の発光ＬＥＤ、赤の発光ＬＥＤ及び黄緑の蛍光ＬＥＤの相対的な波長スペクトル図。
【図２３−２４】温白色及び昼白色の色温度でフィルム及びビデオを撮影するために最適なＬＥＤの組み合わせの相対的な波長スペクトル図。
【図２５】昼白色及び温白色の蛍光ＬＥＤと、青、緑、黄及び赤の発色ＬＥＤとの相対的な波長スペクトル図。
【図２６】ＬＥＤの二つの異なる組み合わせの全域。
【図２７】白熱灯の薄暗い性質を表す色温度−輝度のプロファイル。
【０１３３】
１  ＬＥＤボード
２  制御装置（マイクロプロセッサ）
３、３’  ＬＥＤモジュール
３’’  モニタＬＥＤモジュール
４  黄緑、昼白又は温白の蛍光ＬＥＤ
５  側部照射ＬＥＤ
７  測定装置
８、８’  光導波管
９  拡散ラミナ
９１  拡散ラミナの反射性被覆
１０  被覆又は拡散スクリーン
１１、１１’  測定窓カプセル
１２  光誘導プレート
１３  低部反射層
１４  周囲反射被覆
１５  ＬＥＤ用穴
１５１  穴の斜面
１６  周囲反射被覆の開口
４０  黄緑、昼白又は温白の蛍光ＬＥＤのチップ
４１  黄緑、昼白又は温白の蛍光ＬＥＤの蛍光材料層
６１  青又はシアンの発色ＬＥＤ
６２  緑の発色ＬＥＤ
６３  アンバーの発色ＬＥＤ
６４  赤の発色ＬＥＤ
Ａ  アンバーのＬＥＤカラー
Ｂ  青のＬＥＤカラー
ＤＬ  昼白の蛍光材料
Ｇ  緑のＬＥＤカラー
Ｇａ１、Ｇａ２  全範囲
Ｐ  プランク軌跡
Ｒ  赤のＬＥＤカラー
Ｙｅ  黄のＬＥＤカラー
Ｙ  黄緑の蛍光材料
ＷＷ  温白の蛍光材料
【図１】
2008541361.tif 000003
【図２】
2008541361.tif 000004
【図３】
2008541361.tif 000005
【図４】
2008541361.tif 000006
【図５】
2008541361.tif 000007
【図６】
2008541361.tif 000008
【図７】
2008541361.tif 000009
【図８】
2008541361.tif 000010
【図９Ａ】
2008541361.tif 000011
【図９Ｂ】
2008541361.tif 000012
【図１０Ａ】
2008541361.tif 000013
【図１０Ｂ】
2008541361.tif 000014
【図１０Ｃ】
2008541361.tif 000015
【図１１】
2008541361.tif 000016
【図１２】
2008541361.tif 000017
【図１３】
2008541361.tif 000018
【図１４】
2008541361.tif 000019
【図１５】
2008541361.tif 000020
【図１６】
2008541361.tif 000021
【図１７Ａ】
2008541361.tif 000022
【図１７Ｂ】
2008541361.tif 000023
【図１８Ａ】
2008541361.tif 000024
【図１８Ｂ】
2008541361.tif 000025
【図１９Ａ】
2008541361.tif 000026
【図１９Ｂ】
2008541361.tif 000027
【図２０Ａ】
2008541361.tif 000028
【図２０Ｂ】
2008541361.tif 000029
【図２１Ａ】
2008541361.tif 000030
【図２１Ｂ】
2008541361.tif 000031
【図２２】
2008541361.tif 000032
【図２３】
2008541361.tif 000033
【図２４】
2008541361.tif 000034
【図２５】
2008541361.tif 000035
【図２６】
2008541361.tif 000036
【図２７】
2008541361.tif 000037
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
発光面に配列した発光ダイオード（ＬＥＤ）を有するフィルム及びビデオ撮影用のスポットライトであって、その発色ＬＥＤ（６１−６４）が異なるＬＥＤカラー（Ｒ、Ｇ、Ａ、Ｂ、Ｙｅ）を発し、色混合用の光束部を提供しており、少なくとも一つのＬＥＤが蛍光ＬＥＤ（４）を有しており、ＬＥＤ（４；５；６１−６４）によって発せられる光束部を設定するための装置が備わっており、前記装置は少なくともグループでＬＥＤ（４；５；６１−６４）を稼動し、
少なくとも一つの発色ＬＥＤ（６１）が青又はシアンのＬＥＤカラーを発し、前記蛍光ＬＥＤが黄緑、昼白、中性白、又は温白の蛍光ＬＥＤを有し、前記蛍光ＬＥＤが青又はシアンのＬＥＤカラーを発する発色ＬＥＤ（６１）を除いた発色ＬＥＤ（６２−６４）の少なくとも一部を覆うスポットライト。
【請求項２】
各発色ＬＥＤ（６１−６４）がチップオンボード技術を備えた基板上に配置されている請求項１のスポットライト。
【請求項３】
各発色ＬＥＤ（６１−６４）がチップオンボード技術を備えたマイクロリフレクタに埋め込まれている請求項２のスポットライト。
【請求項４】
ＬＥＤ（４；６１−６４）が組み合わされてＬＥＤモジュール（３）を形成しており、スポットライトの発光面がＬＥＤモジュール（３）又はＬＥＤモジュールのアレイ（３）を備えたＬＥＤボード（１）を有する請求項１から請求項３のいずれかのスポットライト。
【請求項５】
スポットライトが複数のＬＥＤボード（１）を有する請求項４のスポットライト。
【請求項６】
ＬＥＤモジュール（３）が所定の数の発色ＬＥＤ（６１−６４）と蛍光ＬＥＤ（４）とを有し、少なくとも一つのＬＥＤ（６１−６４）が各ＬＥＤカラー（Ｒ、Ｇ、Ａ、Ｂ、Ｙｅ）に対して提供されている請求項１から請求項５のいずれかのスポットライト。
【請求項７】
蛍光ＬＥＤ（４）の蛍光材料層（４１）が赤、緑、オレンジ、黄−オレンジ、又は黄の発色ＬＥＤ（６２−６４）のチップを覆っており、前記チップは蛍光ＬＥＤ（４）のチップ（４）に隣接しており、青又はシアンの波長を有する一つ又は複数の発色ＬＥＤが蛍光材料層（４１）の周囲又は一緒に配置されている請求項１から請求項６のいずれかのスポットライト。
【請求項８】
それぞれの場合において、ＬＥＤモジュール（３）が少なくとも５つの異なるＬＥＤ（４；５；６１−６４）を有しており、
一つのＬＥＤが黄緑又は白の蛍光ＬＥＤ（４）であり、
一つのＬＥＤが単色のシアン又は青の発光ＬＥＤ（６１）であり、
一つのＬＥＤが単色の緑の発色ＬＥＤ（６２）であり、
二つのＬＥＤが赤、オレンジ、黄−オレンジ、又は黄のＬＥＤカラー（Ｒ、Ａ、Ｙｅ）である異なる単色の発色ＬＥＤ（６３、６４）である請求項１から請求項７のいずれかのスポットライト。
【請求項９】
ＬＥＤモジュール（３）が
黄緑又は白の蛍光ＬＥＤ（４）と、
４３０ｎｍ−４８０ｎｍのピーク波長を有する単色の青の発色ＬＥＤ（６１）と、
５０５ｎｍ−５３５ｎｍのピーク波長を有する単色の緑の発色ＬＥＤ（６２）と、
６１０ｎｍ−６４０ｎｍのピーク波長を有する単色のアンバーの発色ＬＥＤ（６３）と、
６３０ｎｍ−６６０ｎｍのピーク波長を有する単色の赤の発色ＬＥＤ（６４）と
を有する請求項１から請求項７のいずれかのスポットライト。
【請求項１０】
ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６１０ｎｍ−６４０ｎｍのピーク波長を有する単色のアンバーの発色ＬＥＤ（６４）と
を有する請求項１から請求項７のいずれかのスポットライト。
【請求項１１】
ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６１０ｎｍ−６４０ｎｍのピーク波長を有する単色のアンバーの発色ＬＥＤ（６４）と、
４３０ｎｍ−４８０ｎｍのピーク波長を有する単色の青の発色ＬＥＤ（６１）と
を有する請求項１から請求項７のいずれかのスポットライト。
【請求項１２】
ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６３０ｎｍ−６６０ｎｍのピーク波長を有する単色の赤の発色ＬＥＤ（６４）と
を有する請求項１から請求項７のいずれかのスポットライト。
【請求項１３】
ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６３０ｎｍ−６６０ｎｍのピーク波長を有する単色の赤の発色ＬＥＤ（６４）と、
４３０ｎｍ−４８０ｎｍのピーク波長を有する単色の青の発色ＬＥＤ（６１）と
を有する請求項１から請求項７のいずれかのスポットライト。
【請求項１４】
ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
６１０ｎｍ−６４０ｎｍのピーク波長を有する単色のアンバーの発色ＬＥＤ（６３）と、
６３０ｎｍ−６６０ｎｍのピーク波長を有する単色の赤の発色ＬＥＤ（６４）と、
を有する請求項１から請求項７のいずれかのスポットライト。
【請求項１５】
ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
６１０ｎｍ−６４０ｎｍのピーク波長を有する単色のアンバーの発色ＬＥＤ（６３）と、
６３０ｎｍ−６６０ｎｍのピーク波長を有する単色の赤の発色ＬＥＤ（６４）と、
４３０ｎｍ−４８０ｎｍのピーク波長を有する単色の青の発色ＬＥＤ（６１）と
を有する請求項１から請求項７のいずれかのスポットライト。
【請求項１６】
ＬＥＤモジュール（３）が
黄緑又は白の蛍光ＬＥＤ（４）と、
４３０ｎｍ−４８０ｎｍのピーク波長を有する単色の青の発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６３０ｎｍ−６６０ｎｍのピーク波長を有する単色の赤の発色ＬＥＤ（６４）と、
を有する請求項１から請求項７のいずれかのスポットライト。
【請求項１７】
ＬＥＤモジュール（３）が
黄緑又は白の蛍光ＬＥＤ（４）と、
４３０ｎｍ−４８０ｎｍのピーク波長を有する単色の青の発色ＬＥＤ（６１）と、
６３０ｎｍ−６６０ｎｍのピーク波長を有する単色の赤の発色ＬＥＤ（６４）と
を有する請求項１から請求項６のいずれかのスポットライト。
【請求項１８】
スポットライトが使用者によって選択された光源及び／又は光の色を模倣するように設計されている請求項１から請求項１７のいずれかのスポットライト。
【請求項１９】
少なくとも一つの測定装置（７）がＬＥＤボード（１）とスポットライトの前面との間に配置されている請求項１から請求項１８のいずれかのスポットライト。
【請求項２０】
測定装置がＬＥＤ（４；５；６１−６４）の発光強度を検出し、前記測定装置が比色計、ＲＧＢセンサ、Ｖ（λ）センサ、又は光センサである請求項１９のスポットライト。
【請求項２１】
測定装置（７）が異なるスペクトル検出性を有する少なくとも５つのセンサから形成されている請求項２０のスポットライト。
【請求項２２】
測定装置が継続的、又は所定の間隔でＬＥＤ（４；５；６１−６４）の発光強度を検出する請求項２０又は請求項２１のスポットライト。
【請求項２３】
測定装置（７）が一定の温度に制御されている請求項１９から請求項２２のいずれかのスポットライト。
【請求項２４】
各ＬＥＤカラー（Ｒ、Ｇ、Ａ、Ｂ、Ｙｅ）の代表的な部分が測定装置の光検出面に導かれている請求項１９から請求項２３のいずれかのスポットライト。
【請求項２５】
ＬＥＤモジュール（３）のアレイの前に装着された拡散スクリーンが光を集め、周辺反射被覆の開口を介して光の一部を測定装置（７）に導く請求項１９から請求項２４のいずれかのスポットライト。
【請求項２６】
ＬＥＤモジュール（３）のアレイの温度を発する場所に配置された少なくとも一つのモニタＬＥＤモジュール（３''）が測定用受信機（７）を照らすために用いられ、モニタＬＥＤモジュール（３''）によって発せられる発光の一部が測定装置（７）に導かれる請求項１９から請求項２５のいずれかのスポットライト。
【請求項２７】
モニタＬＥＤモジュール（３''）によって発せられる光が拡散ラミナ（９）を照らし、拡散ラミナ（９）によって反射される又は測定装置（７）へと誘導される請求項２６のスポットライト。
【請求項２８】
光が拡散ラミナ（９）によって光導波管（８'）を介して測定装置（９）へと誘導される請求項２７のスポットライト。
【請求項２９】
拡散ラミナ（９）がスポットライトの発光面上に配置された透過性スクリーン（１０）の下側に配置されている請求項２７又は請求項２８のスポットライト。
【請求項３０】
拡散ラミナがカプセル（１１、１１'）内に配置されており、前記カプセルがスポットライトの発光面の一面に配置されており、モニタＬＥＤモジュール（３''）と測定用受信機（７）とを囲んでいる請求項２７又は請求項２８のスポットライト。
【請求項３１】
カプセル（１１、１１''）が光を漏らさないようになっている請求項３０のスポットライト。
【請求項３２】
モニタＬＥＤモジュール（３）、測定装置（７）及びカプセル（１１、１１'）がスポットライトの発光面の下側に配置されている請求項３０又は請求項３１のスポットライト。
【請求項３３】
拡散ラミナ（９）が測定用受信機（７）から離れた側に反射性被覆（９１）を有する請求項２７から請求項３２のいずれかのスポットライト。
【請求項３４】
測定装置（７）がモニタＬＥＤモジュール（３''）から離れたカプセル（１１'）の端に配置されており、前記カプセルがスポットライトの発光面の上側又は下側にあるモニタＬＥＤモジュール（３''）上に配置されている請求項２６のスポットライト。
【請求項３５】
ＬＥＤが側部発光ＬＥＤ（５）である請求項１から請求項３４のいずれかのスポットライト。
【請求項３６】
一定の光分散がＬＥＤ（５）によって照らされる表面上で起こるように形成された光分散をＬＥＤ（５）が備えた請求項３５のスポットライト。
【請求項３７】
光誘導プレート（１２）がスポットライトの発光面に配置されており、側部発光ＬＥＤ（５）によって発せられる光が光誘導プレート（１２）によって混合される請求項３５又は請求項３６のいずれかのスポットライト。
【請求項３８】
光誘導プレート（１２）が周辺反射被覆（１４）を備えている請求項３７のスポットライト。
【請求項３９】
開口（１６）が周辺反射被覆（１４）に形成されており、測定装置（７）が前記開口に配置されている請求項１９から請求項３８のいずれかのスポットライト。
【請求項４０】
子斧ＬＥＤカラー（Ｒ、Ｇ、Ａ、Ｂ、Ｙｅ）の発光強度の測定が最初は手動で行われる請求項１９から請求項３９のいずれかのスポットライト。
【請求項４１】
光及び／又は音の信号装置が、予め決められた所望される値から現在の設定の偏差を示す請求項１９から請求項４０のいずれかのスポットライト。
【請求項４２】
使用者のインターフェースが、スポットライトによる設定のための所望される色温度及び／又は所望される色軌跡を予め決定するために用いられる請求項１９から請求項４１のいずれかのスポットライト。
【請求項４３】
使用者のインターフェースが、スポットライトによる模倣のために、取付けられた色補正フィルタを模倣する色補正、及び／又は色フィルタを模倣する光の色を設定するために用いられる請求項１９から請求項４２のいずれかのスポットライト。
【請求項４４】
スポットライトが消光モードでスポットライトの明度に依存して色温度を適応させるよう設計されている請求項１から請求項４３のいずれかのスポットライト。
【請求項４５】
請求項１から請求項４８のいずれかのスポットライトによって発せられる色調を設定するための方法であって、
スポットライトのスイッチが入れられた後に、ＬＥＤカラー（Ｒ、Ｇ、Ａ、Ｂ、Ｙｅ）の利用できる発光成分が測定される段階と、
作動中に、ＬＥＤカラー（Ｒ、Ｇ、Ａ，Ｂ、Ｙｅ）の現在のＲＧＢ又は強度が継続的又は所定の間隔で測定される段階と、
ＬＥＤカラー（Ｒ、Ｇ、Ａ、Ｂ、Ｙｅ）の発光強度が、各ＬＥＤカラー（Ｒ、Ｇ、Ａ、Ｂ、Ｙｅ）用に決められた現在のＲＧＢ又は強度を考慮して再調節される段階と
を有する方法。
【請求項４６】
現在の色軌跡がＬＥＤカラー（Ｒ、Ｇ、Ａ、Ｂ、Ｙｅ）の発光の総量の現在のＲＧＢ又は強度から算出され、目的の色軌跡からずれているときには、個々のＬＥＤカラー（Ｒ、Ｇ、Ａ、Ｂ、Ｙｅ）の現在のＲＧＢ又は強度が測定され、ＬＥＤカラー（Ｒ、Ｇ、Ａ、Ｂ、Ｙｅ）の発光強度が各ＬＥＤカラー（Ｒ、Ｇ、Ａ、Ｂ、Ｙｅ）のために決定された現在のＲＧＢ又は強度を考慮して再調節される請求項４５の方法。
【請求項４７】
ＬＥＤカラー（Ｒ、Ｇ、Ａ、Ｂ、Ｙｅ）の発光成分が、短時間で次々とそれぞれのＬＥＤカラー（Ｒ、Ｇ、Ａ、Ｂ、Ｙｅ）を連続的に稼動し、個々のＬＥＤカラー（Ｒ、Ｇ、Ａ、Ｂ、Ｙｅ）のＲＧＢ又は強度を測定することによって決定される請求項４５又は請求項４６のいずれかの方法。
【請求項４８】
ＬＥＤカラー（Ｒ、Ｇ、Ａ、Ｂ、Ｙｅ）の発光成分が二つ又は多くても三つのＬＥＤカラー（Ｒ、Ｇ、Ａ、Ｂ、Ｙｅ）を連続的に稼動し、ＲＧＢ又は強度を測定し、個々のＬＥＤカラー（Ｒ、Ｇ、Ａ、Ｂ、Ｙｅ）の強度を算出することによって決定される請求項４５又は請求項４６のいずれかの方法。
【請求項４９】
ＬＥＤカラー（Ｒ、Ｇ、Ａ、Ｂ、Ｙｅ）の発光成分が、個々のＬＥＤカラー（Ｒ、Ｇ、Ａ、Ｂ、Ｙｅ）を連続的に消していき全てのＬＥＤカラー（Ｒ、Ｇ、Ａ、Ｂ、Ｙｅ）の発光の総量を測定し、残ったＬＥＤカラー（Ｒ、Ｇ、Ａ、Ｂ、Ｙｅ）のＲＧＢ又は強度を測定し、測定された二つの値を引くことによって、それぞれ消したＬＥＤカラー（Ｒ、Ｇ、Ａ、Ｂ、Ｙｅ）のＲＧＢ又は強度を決定する請求項４５又は請求項４６のいずれかの方法。
【請求項５０】
ＬＥＤカラー（Ｒ、Ｇ、Ａ、Ｂ、Ｙｅ）の発光成分が異なるスペクトル検出性を有する光センサによって全てのＬＥＤカラー（Ｒ、Ｇ、Ａ、Ｂ、Ｙｅ）の発光の総量を測定することで決定され、光センサの数が用いられるＬＥＤカラー（Ｒ、Ｇ、Ａ、Ｂ、Ｙｅ）の数に対応する請求項４５又は請求項４６のいずれかの方法。
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
発光面に配列した発光ダイオード（ＬＥＤ）を有するフィルム及びビデオ撮影用のスポットライトであって、その発色ＬＥＤ（６１−６４）が異なるＬＥＤカラー（Ｒ、Ｇ、Ａ、Ｂ、Ｙｅ）を発し、色混合用の光束部を提供しており、少なくとも一つのＬＥＤが蛍光ＬＥＤ（４）を有しており、ＬＥＤ（４；５；６１−６４）によって発せられる光束部を設定するための装置が備わっており、前記装置は少なくともグループでＬＥＤ（４；５；６１−６４）を稼動し、
少なくとも一つの発色ＬＥＤ（６１）が青又はシアンのＬＥＤカラーを発し、前記蛍光ＬＥＤが黄緑、昼白、中性白、又は温白の蛍光ＬＥＤを有し、前記蛍光ＬＥＤが青又はシアンのＬＥＤカラーを発する発色ＬＥＤ（６１）を除いた発色ＬＥＤ（６２−６４）の少なくとも一部を覆うスポットライト。
【請求項２】
各発色ＬＥＤ（６１−６４）がチップオンボード技術を備えた基板上に配置されている請求項１のスポットライト。
【請求項３】
各発色ＬＥＤ（６１−６４）がチップオンボード技術を備えたマイクロリフレクタに埋め込まれている請求項２のスポットライト。
【請求項４】
ＬＥＤ（４；６１−６４）が組み合わされてＬＥＤモジュール（３）を形成しており、スポットライトの発光面がＬＥＤモジュール（３）又はＬＥＤモジュールのアレイ（３）を備えたＬＥＤボード（１）を有する請求項１から請求項３のいずれかのスポットライト。
【請求項５】
スポットライトが複数のＬＥＤボード（１）を有する請求項４のスポットライト。
【請求項６】
ＬＥＤモジュール（３）が所定の数の発色ＬＥＤ（６１−６４）と蛍光ＬＥＤ（４）とを有し、少なくとも一つのＬＥＤ（６１−６４）が各ＬＥＤカラー（Ｒ、Ｇ、Ａ、Ｂ、Ｙｅ）に対して提供されている請求項１から請求項５のいずれかのスポットライト。
【請求項７】
蛍光ＬＥＤ（４）の蛍光材料層（４１）が赤、緑、オレンジ、黄−オレンジ、又は黄の発色ＬＥＤ（６２−６４）のチップを覆っており、前記チップは蛍光ＬＥＤ（４）のチップ（４）に隣接しており、青又はシアンの波長を有する一つ又は複数の発色ＬＥＤが蛍光材料層（４１）の周囲又は一緒に配置されている請求項１から請求項６のいずれかのスポットライト。
【請求項８】
それぞれの場合において、ＬＥＤモジュール（３）が少なくとも５つの異なるＬＥＤ（４；５；６１−６４）を有しており、
一つのＬＥＤが黄緑又は白の蛍光ＬＥＤ（４）であり、
一つのＬＥＤが単色のシアン又は青の発光ＬＥＤ（６１）であり、
一つのＬＥＤが単色の緑の発色ＬＥＤ（６２）であり、
二つのＬＥＤが赤、オレンジ、黄−オレンジ、又は黄のＬＥＤカラー（Ｒ、Ａ、Ｙｅ）である異なる単色の発色ＬＥＤ（６３、６４）である請求項１から請求項７のいずれかのスポットライト。
【請求項９】
ＬＥＤモジュール（３）が
黄緑又は白の蛍光ＬＥＤ（４）と、
４３０ｎｍ−４８０ｎｍのピーク波長を有する単色の青の発色ＬＥＤ（６１）と、
５０５ｎｍ−５３５ｎｍのピーク波長を有する単色の緑の発色ＬＥＤ（６２）と、
６１０ｎｍ−６４０ｎｍのピーク波長を有する単色のアンバーの発色ＬＥＤ（６３）と、
６３０ｎｍ−６６０ｎｍのピーク波長を有する単色の赤の発色ＬＥＤ（６４）と
を有する請求項１から請求項７のいずれかのスポットライト。
【請求項１０】
ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６１０ｎｍ−６４０ｎｍのピーク波長を有する単色のアンバーの発色ＬＥＤ（６４）と
を有する請求項１から請求項７のいずれかのスポットライト。
【請求項１１】
ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６１０ｎｍ−６４０ｎｍのピーク波長を有する単色のアンバーの発色ＬＥＤ（６４）と、
４３０ｎｍ−４８０ｎｍのピーク波長を有する単色の青の発色ＬＥＤ（６１）と
を有する請求項１から請求項７のいずれかのスポットライト。
【手続補正２】
【補正対象書類名】明細書
【補正対象項目名】０１３１
【補正方法】変更
【補正の内容】
【０１３１】
図１０Ａ及び１０Ｃに図示されており上述されているＬＥＤスポットライトの色設定及び制御用プログラムと、図１１及び１６に図示されており上述されているサブルーチンとは、フィルム及びビデオを撮影するための発明に基づいて作られたスポットライトを用いる時に、発明による方法を実施することが可能なプログラムから選択することのみを表している。特に使用者の入力から色軌跡を決定するための上述された計算ステップを実行することが可能である。計算ステップにおいては、色温度、色補正又はフィルタの模倣が予め決められており、スポットライト又はその制御装置の外側になると、続いてＬＥＤカラーの必要な明度部分がそれらから決定され、スポットライト又はその制御装置のメモリにテーブルの形で記録する。テーブルは、例えば色軌跡若しくは色温度に依存したＬＥＤカラーの必要な明度部分を含む。さらに、これらのテーブルは最適演色設定、及び最適明度設定の両方のために演算することができ、メモリに記録することもできる。
ここで、実施形態に記載された発明のうちで特許請求の範囲には記載されていない発明を以下に列記する。
（１）  ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６３０ｎｍ−６６０ｎｍのピーク波長を有する単色の赤の発色ＬＥＤ（６４）と
を有する特許請求の範囲の請求項１から請求項７のいずれかのスポットライト。
（２）ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６３０ｎｍ−６６０ｎｍのピーク波長を有する単色の赤の発色ＬＥＤ（６４）と、
４３０ｎｍ−４８０ｎｍのピーク波長を有する単色の青の発色ＬＥＤ（６１）と
を有する特許請求の範囲の請求項１から請求項７のいずれかのスポットライト。
（３）ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
６１０ｎｍ−６４０ｎｍのピーク波長を有する単色のアンバーの発色ＬＥＤ（６３）と、
６３０ｎｍ−６６０ｎｍのピーク波長を有する単色の赤の発色ＬＥＤ（６４）と、
を有する特許請求の範囲の請求項１から請求項７のいずれかのスポットライト。
（４）ＬＥＤモジュール（３）が
黄緑又は白の蛍光ＬＥＤ（４）と、
４８０ｎｍ−５１５ｎｍのピーク波長を有する単色のシアンの発色ＬＥＤ（６１）と、
５０５ｎｍ−５３５ｎｍのピーク波長を有する単色の緑の発色ＬＥＤ（６２）と、
６１０ｎｍ−６４０ｎｍのピーク波長を有する単色のアンバーの発色ＬＥＤ（６３）と、
６３０ｎｍ−６６０ｎｍのピーク波長を有する単色の赤の発色ＬＥＤ（６４）と、
４３０ｎｍ−４８０ｎｍのピーク波長を有する単色の青の発色ＬＥＤ（６１）と
を有する特許請求の範囲の請求項１から請求項７のいずれかのスポットライト。
（５）ＬＥＤモジュール（３）が
黄緑又は白の蛍光ＬＥＤ（４）と、
４３０ｎｍ−４８０ｎｍのピーク波長を有する単色の青の発色ＬＥＤ（６１）と、
５０５ｎｍ−５３５ｎｍのピーク波長を有する単色の緑の発色ＬＥＤ（６２）と、
５８０ｎｍ−６１０ｎｍのピーク波長を有する単色の黄の発色ＬＥＤ（６３）と、
６３０ｎｍ−６６０ｎｍのピーク波長を有する単色の赤の発色ＬＥＤ（６４）と、
を有する特許請求の範囲の請求項１から請求項７のいずれかのスポットライト。
（６）ＬＥＤモジュール（３）が
黄緑又は白の蛍光ＬＥＤ（４）と、
４３０ｎｍ−４８０ｎｍのピーク波長を有する単色の青の発色ＬＥＤ（６１）と、
６３０ｎｍ−６６０ｎｍのピーク波長を有する単色の赤の発色ＬＥＤ（６４）と
を有する特許請求の範囲の請求項１から請求項６のいずれかのスポットライト。
（７）スポットライトが使用者によって選択された光源及び／又は光の色を模倣するように設計されている特許請求の範囲の請求項１から請求項１１及び（１）から（６）のいずれかのスポットライト。
（８）少なくとも一つの測定装置（７）がＬＥＤボード（１）とスポットライトの前面との間に配置されている特許請求の範囲の請求項１から請求項１１及び（１）から（７）のいずれかのスポットライト。
（９）測定装置がＬＥＤ（４；５；６１−６４）の発光強度を検出し、前記測定装置が比色計、ＲＧＢセンサ、Ｖ（λ）センサ、又は光センサである（８）のスポットライト。
（１０）測定装置（７）が異なるスペクトル検出性を有する少なくとも５つのセンサから形成されている（９）のスポットライト。
（１１）測定装置が継続的、又は所定の間隔でＬＥＤ（４；５；６１−６４）の発光強度を検出する（９）又は（１０）のスポットライト。
（１２）測定装置（７）が一定の温度に制御されている（８）から（１１）のいずれかのスポットライト。
（１３）各ＬＥＤカラー（Ｒ、Ｇ、Ａ、Ｂ、Ｙｅ）の代表的な部分が測定装置の光検出面に導かれている（８）から（１２）のいずれかのスポットライト。
（１４）ＬＥＤモジュール（３）のアレイの前に装着された拡散スクリーンが光を集め、周辺反射被覆の開口を介して光の一部を測定装置（７）に導く（８）から（１３）のいずれかのスポットライト。
（１５）ＬＥＤモジュール（３）のアレイの温度を発する場所に配置された少なくとも一つのモニタＬＥＤモジュール（３''）が測定用受信機（７）を照らすために用いられ、モニタＬＥＤモジュール（３''）によって発せられる発光の一部が測定装置（７）に導かれる（８）から（１４）のいずれかのスポットライト。
（１６）モニタＬＥＤモジュール（３''）によって発せられる光が拡散ラミナ（９）を照らし、拡散ラミナ（９）によって反射される又は測定装置（７）へと誘導される（１５）のスポットライト。
（１７）光が拡散ラミナ（９）によって光導波管（８'）を介して測定装置（９）へと誘導される（１６）のスポットライト。
（１８）拡散ラミナ（９）がスポットライトの発光面上に配置された透過性スクリーン（１０）の下側に配置されている（１６）又は（１７）のスポットライト。
（１９）拡散ラミナがカプセル（１１、１１'）内に配置されており、前記カプセルがスポットライトの発光面の一面に配置されており、モニタＬＥＤモジュール（３''）と測定用受信機（７）とを囲んでいる（１６）又は（１７）のスポットライト。
（２０）カプセル（１１、１１''）が光を漏らさないようになっている（１９）のスポットライト。
（２１）モニタＬＥＤモジュール（３）、測定装置（７）及びカプセル（１１、１１'）がスポットライトの発光面の下側に配置されている（１９）又は（２０）のスポットライト。
（２１）拡散ラミナ（９）が測定用受信機（７）から離れた側に反射性被覆（９１）を有する（１６）から（２１）のいずれかのスポットライト。
（２２）測定装置（７）がモニタＬＥＤモジュール（３''）から離れたカプセル（１１'）の端に配置されており、前記カプセルがスポットライトの発光面の上側又は下側にあるモニタＬＥＤモジュール（３''）上に配置されている（１５）のスポットライト。
（２４）ＬＥＤが側部発光ＬＥＤ（５）である特許請求の範囲の請求項１から請求項１１及び（１）から（２３）のいずれかのスポットライト。
（２５）一定の光分散がＬＥＤ（５）によって照らされる表面上で起こるように形成された光分散をＬＥＤ（５）が備えた（２４）のスポットライト。
（２６）光誘導プレート（１２）がスポットライトの発光面に配置されており、側部発光ＬＥＤ（５）によって発せられる光が光誘導プレート（１２）によって混合される（２４）又は（２５）のいずれかのスポットライト。
（２７）光誘導プレート（１２）が周辺反射被覆（１４）を備えている（２６）のスポットライト。
（２８）開口（１６）が周辺反射被覆（１４）に形成されており、測定装置（７）が前記開口に配置されている（８）から（２７）のいずれかのスポットライト。
（２９）子斧ＬＥＤカラー（Ｒ、Ｇ、Ａ、Ｂ、Ｙｅ）の発光強度の測定が最初は手動で行われる（８）から（２８）のいずれかのスポットライト。
（３０）光及び／又は音の信号装置が、予め決められた所望される値から現在の設定の偏差を示す（８）から（２９）のいずれかのスポットライト。
（３１）使用者のインターフェースが、スポットライトによる設定のための所望される色温度及び／又は所望される色軌跡を予め決定するために用いられる（８）から（３０）のいずれかのスポットライト。
（３２）使用者のインターフェースが、スポットライトによる模倣のために、取付けられた色補正フィルタを模倣する色補正、及び／又は色フィルタを模倣する光の色を設定するために用いられる（８）から（３１）のいずれかのスポットライト。
（３３）スポットライトが消光モードでスポットライトの明度に依存して色温度を適応させるよう設計されている特許請求の範囲の請求項１から請求項１１及び（１）から（３２）のいずれかのスポットライト。
（３４）特許請求の範囲の請求項１から請求項１１及び（１）から（３３）のいずれかのスポットライトによって発せられる色調を設定するための方法であって、
スポットライトのスイッチが入れられた後に、ＬＥＤカラー（Ｒ、Ｇ、Ａ、Ｂ、Ｙｅ）の利用できる発光成分が測定される段階と、
作動中に、ＬＥＤカラー（Ｒ、Ｇ、Ａ，Ｂ、Ｙｅ）の現在のＲＧＢ又は強度が継続的又は所定の間隔で測定される段階と、
ＬＥＤカラー（Ｒ、Ｇ、Ａ、Ｂ、Ｙｅ）の発光強度が、各ＬＥＤカラー（Ｒ、Ｇ、Ａ、Ｂ、Ｙｅ）用に決められた現在のＲＧＢ又は強度を考慮して再調節される段階と
を有する方法。
（３５）現在の色軌跡がＬＥＤカラー（Ｒ、Ｇ、Ａ、Ｂ、Ｙｅ）の発光の総量の現在のＲＧＢ又は強度から算出され、目的の色軌跡からずれているときには、個々のＬＥＤカラー（Ｒ、Ｇ、Ａ、Ｂ、Ｙｅ）の現在のＲＧＢ又は強度が測定され、ＬＥＤカラー（Ｒ、Ｇ、Ａ、Ｂ、Ｙｅ）の発光強度が各ＬＥＤカラー（Ｒ、Ｇ、Ａ、Ｂ、Ｙｅ）のために決定された現在のＲＧＢ又は強度を考慮して再調節される（３４）の方法。
（３６）ＬＥＤカラー（Ｒ、Ｇ、Ａ、Ｂ、Ｙｅ）の発光成分が、短時間で次々とそれぞれのＬＥＤカラー（Ｒ、Ｇ、Ａ、Ｂ、Ｙｅ）を連続的に稼動し、個々のＬＥＤカラー（Ｒ、Ｇ、Ａ、Ｂ、Ｙｅ）のＲＧＢ又は強度を測定することによって決定される（３４）又は（３５）のいずれかの方法。
（３７）ＬＥＤカラー（Ｒ、Ｇ、Ａ、Ｂ、Ｙｅ）の発光成分が二つ又は多くても三つのＬＥＤカラー（Ｒ、Ｇ、Ａ、Ｂ、Ｙｅ）を連続的に稼動し、ＲＧＢ又は強度を測定し、個々のＬＥＤカラー（Ｒ、Ｇ、Ａ、Ｂ、Ｙｅ）の強度を算出することによって決定される（３４）又は（３５）のいずれかの方法。
（３８）ＬＥＤカラー（Ｒ、Ｇ、Ａ、Ｂ、Ｙｅ）の発光成分が、個々のＬＥＤカラー（Ｒ、Ｇ、Ａ、Ｂ、Ｙｅ）を連続的に消していき全てのＬＥＤカラー（Ｒ、Ｇ、Ａ、Ｂ、Ｙｅ）の発光の総量を測定し、残ったＬＥＤカラー（Ｒ、Ｇ、Ａ、Ｂ、Ｙｅ）のＲＧＢ又は強度を測定し、測定された二つの値を引くことによって、それぞれ消したＬＥＤカラー（Ｒ、Ｇ、Ａ、Ｂ、Ｙｅ）のＲＧＢ又は強度を決定する（３４）又は（３５）のいずれかの方法。
（３９）ＬＥＤカラー（Ｒ、Ｇ、Ａ、Ｂ、Ｙｅ）の発光成分が異なるスペクトル検出性を有する光センサによって全てのＬＥＤカラー（Ｒ、Ｇ、Ａ、Ｂ、Ｙｅ）の発光の総量を測定することで決定され、光センサの数が用いられるＬＥＤカラー（Ｒ、Ｇ、Ａ、Ｂ、Ｙｅ）の数に対応する（３４）又は（３５）のいずれかの方法。
【国際調査報告】
2008541361.tif 000038
2008541361.tif 000039
2008541361.tif 000040
2008541361.tif 000041
2008541361.tif 000042
2008541361.tif 000043
2008541361.tif 000044
2008541361.tif 000045